(57)【要約】【課題】簡単な回路構成で、対向する二つの光伝送装置間のポート番号の検索と設定が可能な光伝送システム及び光伝送装置を提供することを目的とする。【解決手段】送信側の光伝送装置３０は、制御ユニット３１、光スイッチモジュール３２及び電気／光変換器３９から構成されている。また、制御ユニット３１は、テーブル管理部３３、テストステータスメッセージ受信部３４、テストメッセージ送信部３５、ポート番号対応テーブル３６及び送信ポート制御部３８から構成されている。受信側の光伝送装置４０は、制御ユニット４１、光スイッチモジュール４２及び光／電気変換器４９から構成されている。また、制御ユニット４１は、テーブル管理部４３、テストステータスメッセージ送信部４４、テストメッセージ受信部４５、ポート番号対応テーブル４６及び受信ポート制御部４８から構成されている。【選択図】        図５
2004297522.tif 000002
【特許請求の範囲】
【請求項１】
それぞれ光スイッチを有する第１及び第２の光伝送装置間におけるデータリンクの接続関係を個々の光伝送装置に設定する光伝送システムにおいて、
前記第１の光伝送装置は、第１の光スイッチの入力側に設けた第１の制御メッセージを送信する第１の制御メッセージ送信手段と、前記第１の光スイッチのスイッチングを制御する送信ポート制御手段とを有し、
前記第１の制御メッセージ送信手段は、前記第１の制御メッセージを送信する送信ポート番号が記述された制御メッセージを送信し、
前記送信ポート制御手段は、前記第１の制御メッセージを順に異なる送信ポートから送信するように、前記第１の光スイッチを制御することを特徴とする光伝送システム。
【請求項２】
前記第２の光伝送装置は、第２の光スイッチの出力側に設けた前記第１の制御メッセージを受信する第１の制御メッセージ受信手段と、前記第２の光スイッチのスイッチングを制御する受信ポート制御手段とを有し、
前記受信ポート制御手段は、前記第１の制御メッセージを順に異なる受信ポートから受信するように、前記第２の光スイッチを制御することを特徴とする請求１項記載の光伝送システム。
【請求項３】
前記第１の光伝送装置の前記送信ポート制御手段は、前記第１の制御メッセージを、一定期間毎に、異なる送信ポートから送信するように、前記第１の光スイッチを制御することを特徴とする請求項１又は２記載の光伝送システム。
【請求項４】
前記第１の光伝送装置は、更に、前記送信ポート番号及びそのポート番号からの第１の制御メッセージを受信した前記第２の光伝送装置における受信ポート番号が記述された第２の制御メッセージを受信する第２の制御メッセージ受信手段を有し、
前記第１の光伝送装置の前記第１の制御メッセージ送信手段は、前記第２の制御メッセージを受信した後、前記第２の制御メッセージに記述された送信ポート番号の次の順のポート番号から、次の順のポート番号が記述された第１の制御メッセージを送信することを特徴とする請求項１又は２記載の光伝送システム。
【請求項５】
それぞれ光スイッチを有する第１及び第２の光伝送装置間におけるデータリンクの接続関係を個々の光伝送装置に設定する光伝送システムにおいて、
前記第１の光伝送装置は、第１の光スイッチの入力側に設けた光信号を送信する光信号送信手段と、前記第１の光スイッチのスイッチングを制御する送信ポート制御手段と、前記光信号を送信する送信ポート番号が記述された第１の制御メッセージを送信する第１の制御メッセージ送信手段とを有し、
前記送信ポート制御手段は、前記光信号を、一定周期で、順に異なる送信ポートから送信するように、前記第１の光スイッチを制御することを特徴とする光伝送システム。
【請求項６】
それぞれ光スイッチを有する第１及び第２の光伝送装置間におけるデータリンクの接続関係を個々の光伝送装置に設定する光伝送システムにおいて、
前記第１の光伝送装置は、第１の光スイッチの入力側に設けた光信号を送信する光信号送信手段と、前記第１の光スイッチのスイッチングを制御する送信ポート制御手段と、前記光信号を送信する送信ポート番号が記述された第１の制御メッセージを送信する第１の制御メッセージ送信手段と、前記送信ポート番号及びそのポート番号からの光信号を受信した前記第２の光伝送装置における受信ポート番号が記述された第２の制御メッセージを受信する第１の制御メッセージ受信手段とを有し、
前記送信ポート制御手段は、前記第２の制御メッセージを受信した後、前記第２の制御メッセージに記述された送信ポート番号の次の順のポート番号で、前記光信号を送信するように、前記受信ポート制御手段を制御することを特徴とする光伝送システム。
【請求項７】
それぞれ光スイッチを有する第１及び第２の光伝送装置間におけるデータリンクの接続関係を個々の光伝送装置に設定する光伝送システムにおいて、
前記第１の光伝送装置は、第１の光スイッチの出力側に設けたテスト信号を送信するテスト信号送信手段と、前記テスト信号を送信する送信ポート番号が記述された制御メッセージを送信する制御メッセージ送信手段とを有し、
前記テスト信号送信手段は、前記テスト信号を、一定周期で、順に異なる送信ポートから送信することを特徴とする光伝送システム。
【請求項８】
対向する光伝送装置との間におけるデータリンクの接続関係を設定する光スイッチを有する光伝送装置において、
前記光スイッチの入力側に設けた第１の制御メッセージを送信する制御メッセージ送信手段と、前記光スイッチのスイッチングを制御する送信ポート制御手段とを有し、
前記制御メッセージ送信手段は、前記第１の制御メッセージを送信する送信ポート番号が記述された制御メッセージを送信し、
前記送信ポート制御手段は、前記第１の制御メッセージを順に異なる送信ポートから送信するように、前記第１の光スイッチを制御することを特徴とする光伝送装置。
【請求項９】
前記送信ポート制御手段は、前記第１の制御メッセージを、一定期間毎に、異なる送信ポートから送信するように、前記光スイッチを制御することを特徴とする請求項８の光伝送装置。
【請求項１０】
対向する光伝送装置との間におけるデータリンクの接続関係を設定する光スイッチを有する光伝送装置において、
前記イッチの出力側に設けた制御メッセージを受信する制御メッセージ受信手段と、前記光スイッチのスイッチングを制御する受信ポート制御手段とを有し、前記受信ポート制御手段は、前記制御メッセージを順に異なる受信ポートから受信するように、前記光スイッチを制御することを特徴とする光伝送装置。
【発明の詳細な説明】
【０００１】
【発明の属する技術分野】
本発明は、光伝送システム及び光伝送装置に関する。
【０００２】
【従来の技術】
受信した光信号の方路を変更する光クロスコネクト装置（ＯＸＣ：Ｏｐｔｉｃａｌ  Ｃｒｏｓｓｃｏｎｎｅｃｔ）等の光伝送装置は、対向する光伝送装置と複数のデータリンクで接続されている。ここでいうデータリンクとは、たとえば、ファイバや光波長多重装置（Ｗａｖｅｌｅｎｇｔｈ  Ｄｉｖｉｓｉｏｎ  Ｍｕｌｔｉｐｌｅｘｅｒ（ＷＤＭ））で多重された光波長を指している。光波長多重装置の登場により、対向の光伝送装置は、多数のデータリンクで結ばれるようになった。そのため、光伝送装置間におけるデータリンクの接続関係を個々の光伝送装置に設定するためには多くの時間を必要するようになった。そこで、ＩＥＴＦ（Ｉｎｔｅｒｎｅｔ  Ｅｎｇｉｎｅｅｒｉｎｇ  Ｔａｓｋ  Ｆｏｒｃｅ）は、自動的に、光伝送装置間のデータリンク接続関係を検索し、各光伝送装置に光伝送装置間のデータリンク接続を設定するためのプロトコル（Ｌｉｎｋ  Ｍａｎａｇｅｍｅｎｔ  Ｐｒｏｔｏｃｏｌ（ＬＭＰ））を規定している（非特許文献１参照）。
（装置構成）
ＬＭＰは、図１のような２つの光伝送装置間で実行される。
【０００３】
テスト（Ｔｅｓｔ）送信側の光伝送装置１０は、制御ユニット１１、光スイッチモジュール１２及びトランスポンダ１７〜１９から構成されている。また、制御ユニット１１は、テーブル管理部１３、テストステータス（Ｔｅｓｔ  Ｓｔａｔｕｓ）メッセージ受信部１４、テスト（Ｔｅｓｔ）メッセージ送信部１５及びポート番号対応テーブル１６から構成されている。
【０００４】
光スイッチモジュール１２は、光スイッチ回路であり、ユーザデータが伝送される光信号上に存在し、受信した光信号の方路を変更（スイッチング）する。テーブル管理部１３は、ポート番号対応テーブル１６を管理する。テストメッセージを送信した自装置の送信ポート番号とテストメッセージを受信した対向伝送装置（２０）の受信ポート番号をポート番号対応テーブル１６に格納する。なお、テストメッセージを送信した自装置の送信ポート番号とテストメッセージを受信した対向伝送装置（２０）の受信ポート番号は、後述する対向伝送装置（２０）のテストステータスメッセージ送信部２４から送られてくるテストステータスメッセージ中に記述（格納）されている。テストステータスメッセージ受信部１４は、後述する対向伝送装置（２０）のテストステータスメッセージ送信部２４から送られてくるテストステータスメッセージを受信する。なお、受信したテストステータスメッセージには、自装置における送信されたテストメッセージの送信ポート番号と、このテストメッセージを受信する対向伝送装置（２０）における受信ポート番号とが記述されている。なお、テストステータスメッセージは、制御チャネル上で伝送される。テストメッセージ送信部１５は、送信される当該テストメッセージの送信ポート番号が記述されたテストメッセージを、トランスポンダ１７〜１９を介してデータリンク上で対向伝送装置（２０）に送信する。ポート番号対応テーブル１６は、自装置の送信ポートと対向伝送装置（２０）の受信ポートの対応関係が格納されているデータベースである。トランスポンダ１７〜１９は、図２（Ａ）に示すように、光／電気変換器１と電気／光変換器２とを有する電気／光／電気変換器であり、ユーザデータが伝送される光信号上に存在し、光信号のエラーチェック、光信号の整形、光信号の波長変換等を行う。さらに、テストメッセージ送信部１５から送信されたテストメッセージを、電気／光変換器２に供給して、ユーザデータが伝送されるデータリンクに乗せる。なお、光信号のエラーチェック、光信号の整形を行う場合は、光／電気変換器１と電気／光変換器２との間に、エラーチェック、光信号の整形を行う電気回路を設ける。
【０００５】
テストメッセージ受信側の光伝送装置２０は、制御ユニット２１、光スイッチモジュール２２及びトランスポンダ２７〜２９から構成されている。また、制御ユニット２１は、テーブル管理部２３、テストステータス（Ｔｅｓｔ  Ｓｔａｔｕｓ）メッセージ送信部２４、テスト（Ｔｅｓｔ）メッセージ受信部２５及びポート番号対応テーブル２６から構成されている。
【０００６】
光スイッチモジュール２２は、光スイッチ回路であり、ユーザデータが伝送される光信号上に存在し、受信した光信号の方路を変更（スイッチング）する。テーブル管理部２３は、ポート番号対応テーブル２６を管理する。テストメッセージを送信した対向伝送装置（１０）の送信ポート番号と、そのテストメッセージを受信した自装置の受信ポート番号をポート番号対応テーブルに格納する。なお、テストメッセージを送信した対向伝送装置（１０）の送信ポート番号は、受信したテストメッセージ中に記述されている。テストステータスメッセージ送信部２４は、テストメッセージ送信側の伝送装置の送信ポート番号とテストメッセージ受信側の伝送装置の受信ポート番号を記述したテストステータスメッセージを制御チャネル上で対向伝送装置（１０）に伝送する。テストメッセージ受信部２５は、データリンク上で伝送されたテストメッセージをトランスポンダ２７〜２９を介して受信する。ポート番号対応テーブル２６は、自装置の受信ポートと対向伝送装置（１０）の送信ポートの対応関係が格納されているデータベースである。トランスポンダ２７〜２９は、図２（Ｂ）に示すように、光／電気変換器３と電気／光変換器４とを有する電気／光／電気変換器であり、光信号のエラーチェック、光信号の整形、光信号の波長変換等を行う。さらに、データリンク上を伝送されたテストメッセージを光／電気変換器３で電気信号に変換し、電気信号に変換されたテストメッセージをテストメッセージ受信部２５に渡す。なお、光信号のエラーチェック、光信号の整形を行う場合は、光／電気変換器３と電気／光変換器４との間に、エラーチェック、光信号の整形を行う電気回路を設ける。
（動作）
次に、図３を用いて、従来技術の動作手順を記述する。
【０００７】
先ず、光伝送装置１０の送信ポート＃１と対向伝送装置（２０）の受信ポートの検索を行う。テスト送信側の送信ポート＃１と対向伝送装置（２０）の受信ポートの検索は、次の（１）〜（６）の手順で行われる。
（１）光伝送装置１０のテストメッセージ送信部１５は、トランスポンダ１７を経由し、送信ポート＃１からテストメッセージをデータリンク上に送信する。テストメッセージ送信部１５は、テストメッセージの送信に際して、送信するテストメッセージに、予め、送信するテストメッセージの送信ポートの番号＃１を記述する（Ｓ１１）。
（２）光伝送装置２０のテストメッセージ受信部２５は、トランスポンダ１７を経由してデータリンク上を伝送されたテストメッセージを、ポート番号＃１及びトランスポンダ２７を介して受信する。そして、テストメッセージ受信部２５は、テーブル管理部２３に、受信したテストメッセージ及び受信したテストメッセージの受信ポート番号＃１を通知する（Ｓ１２）。
（３）光伝送装置２０のテーブル管理部２３は、テストメッセージを送信した対向伝送装置の送信ポート番号＃１と、テストメッセージを受信した自装置の受信ポート番号＃１とを対応させて、ポート番号対応テーブル２６に格納する。そして、テストステータスメッセージ送信部２４に登録（格納）した内容を通知する（Ｓ１３）。
（４）光伝送装置２０のテストステータスメッセージ送信部２４は、テストメッセージを送信した対向伝送装置（１０）の送信ポート番号＃１と当該テストメッセージを受信した自装置の受信ポート番号＃１とを記述したテストステータスメッセージを制御チャネル上で対向伝送装置（１０）に送信する（Ｓ１４）。
（５）光伝送装置１０のテストステータスメッセージ受信部１４は、テストメッセージ送信装置の送信ポート番号＃１とテストメッセージ受信対向伝送装置の受信ポート番号＃１が記述されたメッセージであって、制御チャネル上で伝送されたテストステータスメッセージを受信する。そして、テーブル管理部１３に、テストステータスメッセージを伝送する（Ｓ１５）。
（６）光伝送装置１０のテーブル管理部１３は、受信したテストステータスメッセージが記述されている、テストメッセージを送信した自装置の送信ポート番号＃１と、テストメッセージを受信した対向伝送装置の受信ポート番号＃１とを対応させて、ポート番号対応テーブル１６に格納する。
【０００８】
この図２におけるＳ１１〜Ｓ１６の処理が図４（Ａ）に示されている。
（７）光伝送装置１０の送信ポート＃２、＃３についても同様に、図４（Ｂ）及び図４（Ｃ）に示すように、対向伝送装置の受信ポートとの対応関係を検索し、各光伝送装置のポート番号対応テーブルに格納する。
【０００９】
以上の手順により、人間の介在なしで、自動的に対向光伝送装置間のデータリンク接続関係を検索し、対向光伝送装置間のデータリンク接続関係を各光伝送装置に設定することができる。
その結果、ポート番号対応テーブルには、光伝送装置１０の送信ポート＃１、＃２、＃３に対応して、光伝送装置１０の送信ポート＃１、＃３、＃２が格納される。
【非特許文献１】
Ｎｅｔｗｏｒｋ  Ｗｏｒｋｉｎｇ  Ｇｒｏｕｐ、Ｊ．Ｌａｎｇ．Ｅｄｉｔｏｒ、Ｉｎｔｅｒｎｅｔ  Ｄｒａｆｔ  「Ｌｉｎｋ  Ｍａｎａｇｅｍｅｎｔ  Ｐｒｏｔｏｃｏｌ（ＬＭＰ）：ｄｒａｆｔ  ｉｅｔｆ  ｃｃａｍｐ  ＬＭＰ  ０７．ｔｘｔ」Ｓｔａｎｄａｒｄｓ  Ｔｒａｃｋ、Ｎｏｖｅｍｂｅｒ  ２００２
【００１０】
【発明が解決しようとする課題】
しかしながら、上述したように、ＬＭＰでは、対向光伝送装置間のデータリンク接続関係を検索するためには、ユーザデータが伝送されるデータリンク上でテストメッセージを交換することが必要となる。そのためには、上流の光伝送装置でテストメッセージをデータリンク上に送信すること、下流側の光伝送装置でデータリンク上のテストメッセージを受信することが必要となる。言い換えると、上流の光伝送装置は、データリンク上の光信号を一度電気に信号に変換し、テストメッセージを記述した後、光信号に戻すことが必要となる。同じように下流の光伝送装置もデータリンク上の光信号を一度電気に信号に変換し、テストメッセージを取り出した後、光信号に戻すことが必要となる。
【００１１】
このような光信号―電気信号の変換、電気信号―光信号の変換を行い、メッセージの記述、抜き取りを行うことにより、装置規模が大きくなるという問題がある。
【００１２】
本発明は、上記問題に鑑みなされたものであり、簡単な回路構成で、対向する二つの光伝送装置間のポート番号の検索と設定が可能な光伝送システム及び光伝送装置を提供することを目的とする。
【００１３】
【課題を解決するための手段】
上記課題を解決するために、本件発明は、以下の特徴を有する課題を解決するための手段を採用している。
【００１４】
請求項１に記載された発明は、それぞれ光スイッチを有する第１及び第２の光伝送装置間におけるデータリンクの接続関係を個々の光伝送装置に設定する光伝送システムにおいて、前記第１の光伝送装置は、第１の光スイッチの入力側に設けた第１の制御メッセージを送信する第１の制御メッセージ送信手段と、前記第１の光スイッチのスイッチングを制御する送信ポート制御手段とを有し、前記第１の制御メッセージ送信手段は、前記第１の制御メッセージを送信する送信ポート番号が記述された制御メッセージを送信し、前記送信ポート制御手段は、前記第１の制御メッセージを順に異なる送信ポートから送信するように、前記第１の光スイッチを制御することを特徴とする。
【００１５】
請求項２に記載された発明は、前記第２の光伝送装置は、第２の光スイッチの出力側に設けた前記第１の制御メッセージを受信する第１の制御メッセージ受信手段と、前記第２の光スイッチのスイッチングを制御する受信ポート制御手段とを有し、前記受信ポート制御手段は、前記第１の制御メッセージを順に異なる受信ポートから受信するように、前記第２の光スイッチを制御することを特徴とする請求１項記載の光伝送システム。
【００１６】
請求項３に記載された発明は、前記第１の光伝送装置の前記送信ポート制御手段は、前記第１の制御メッセージを、一定期間毎に、異なる送信ポートから送信するように、前記第１の光スイッチを制御することを特徴とする請求項１又は２記載の光伝送システム。
【００１７】
請求項４に記載された発明は、前記第１の光伝送装置は、更に、前記送信ポート番号及びそのポート番号からの第１の制御メッセージを受信した前記第２の光伝送装置における受信ポート番号が記述された第２の制御メッセージを受信する第２の制御メッセージ受信手段を有し、前記第１の光伝送装置の前記第１の制御メッセージ送信手段は、前記第２の制御メッセージを受信した後、前記第２の制御メッセージに記述された送信ポート番号の次の順のポート番号から、次の順のポート番号が記述された第１の制御メッセージを送信することを特徴とする請求項１又は２記載の光伝送システム。
【００１８】
請求項５に記載された発明は、それぞれ光スイッチを有する第１及び第２の光伝送装置間におけるデータリンクの接続関係を個々の光伝送装置に設定する光伝送システムにおいて、前記第１の光伝送装置は、第１の光スイッチの入力側に設けた光信号を送信する光信号送信手段と、前記第１の光スイッチのスイッチングを制御する送信ポート制御手段と、前記光信号を送信する送信ポート番号が記述された第１の制御メッセージを送信する第１の制御メッセージ送信手段とを有し、前記送信ポート制御手段は、前記光信号を、一定周期で、順に異なる送信ポートから送信するように、前記第１の光スイッチを制御することを特徴とする光伝送システム。
【００１９】
請求項６に記載された発明は、それぞれ光スイッチを有する第１及び第２の光伝送装置間におけるデータリンクの接続関係を個々の光伝送装置に設定する光伝送システムにおいて、前記第１の光伝送装置は、第１の光スイッチの入力側に設けた光信号を送信する光信号送信手段と、前記第１の光スイッチのスイッチングを制御する送信ポート制御手段と、前記光信号を送信する送信ポート番号が記述された第１の制御メッセージを送信する第１の制御メッセージ送信手段と、前記送信ポート番号及びそのポート番号からの光信号を受信した前記第２の光伝送装置における受信ポート番号が記述された第２の制御メッセージを受信する第１の制御メッセージ受信手段とを有し、前記送信ポート制御手段は、前記第２の制御メッセージを受信した後、前記第２の制御メッセージに記述された送信ポート番号の次の順のポート番号で、前記光信号を送信するように、前記受信ポート制御手段を制御することを特徴とする光伝送システム。
【００２０】
請求項７に記載された発明は、それぞれ光スイッチを有する第１及び第２の光伝送装置間におけるデータリンクの接続関係を個々の光伝送装置に設定する光伝送システムにおいて、前記第１の光伝送装置は、第１の光スイッチの出力側に設けたテスト信号を送信するテスト信号送信手段と、前記テスト信号を送信する送信ポート番号が記述された制御メッセージを送信する制御メッセージ送信手段とを有し、前記テスト信号送信手段は、前記テスト信号を、一定周期で、順に異なる送信ポートから送信することを特徴とする光伝送システム。
【００２１】
請求項８に記載された発明は、対向する光伝送装置との間におけるデータリンクの接続関係を設定する光スイッチを有する光伝送装置において、前記光スイッチの入力側に設けた第１の制御メッセージを送信する制御メッセージ送信手段と、前記光スイッチのスイッチングを制御する送信ポート制御手段とを有し、前記制御メッセージ送信手段は、前記第１の制御メッセージを送信する送信ポート番号が記述された制御メッセージを送信し、前記送信ポート制御手段は、前記第１の制御メッセージを順に異なる送信ポートから送信するように、前記第１の光スイッチを制御することを特徴とする。
【００２２】
請求項９に記載された発明は、請求項９の光伝送装置において、前記送信ポート制御手段は、前記第１の制御メッセージを、一定期間毎に、異なる送信ポートから送信するように、前記光スイッチを制御することを特徴とする。
【００２３】
請求項１０に記載された発明は、対向する光伝送装置との間におけるデータリンクの接続関係を設定する光スイッチを有する光伝送装置において、前記イッチの出力側に設けた制御メッセージを受信する制御メッセージ受信手段と、前記光スイッチのスイッチングを制御する受信ポート制御手段とを有し、前記受信ポート制御手段は、前記制御メッセージを順に異なる受信ポートから受信するように、前記光スイッチを制御することを特徴とする。
【００２４】
請求項１〜１０に記載された発明によれば、「テストメッセージ」、「光信号」又は「テスト信号」の送信側の装置から、当該「テストメッセージ」、「光信号」又は「テスト信号」を送信したポート番号を記述した制御メッセージ（例えば、実施の形態におけるビギンベリファイメッセージであって、前記「テストメッセージ」、「光信号」又は「テスト信号」とは異なる信号）を、対向する光伝送装置に送信することにより、送信簡単な回路構成で、対向する二つの光伝送装置間のポート番号の検索と設定が可能な光伝送システムを提供することができる。
【００２５】
また、請求項１〜６、８〜１０に記載された発明によれば、「テストメッセージ」、「光信号」又は「テスト信号」を送信する送信手段を光スイッチの入力側に設け、また、「テストメッセージ」、「光信号」又は「テスト信号」を受信する受信手段を光スイッチの出力側に設けたので、従来例のように、各出力ポート毎に、「テストメッセージ」、「光信号」又は「テスト信号」を送信又は受信する手段を設ける必要がなく、大幅な回路規模の縮小とコスト低減を図ることができる。
【００２６】
【発明の実施の形態】
次に、本発明の実施の形態について図面と共に説明する。
（第１のシステム構成図）
図５に、対向する２つの光伝送装置から構成される第１のポート番号検索システムを示す。
（テストメッセージ送信側の光伝送装置）
テスト（Ｔｅｓｔ）送信側の光伝送装置３０は、制御ユニット３１、光スイッチモジュール３２及び電気／光変換器（Ｅ／Ｏ）３９から構成されている。また、制御ユニット３１は、テーブル管理部３３、テストステータス（Ｔｅｓｔ  Ｓｔａｔｕｓ）メッセージ受信部３４、テスト（Ｔｅｓｔ）メッセージ送信部３５、ポート番号対応テーブル３６及び送信ポート制御部３８から構成されている。
【００２７】
光スイッチモジュール３２は、光スイッチ回路であり、ユーザデータが伝送される光信号上に存在し、受信した光信号の方路を変更（スイッチング）する。
【００２８】
テーブル管理部３３は、ポート番号対応テーブル３６を管理する。テストメッセージを送信した自装置の送信ポート番号とテストメッセージを受信した対向伝送装置（４０）の受信ポート番号とを、対応させてポート番号対応テーブルに格納する。また、送信メッセージ送信部３５に、テストメッセージを送信すべきポート番号の指示、対向伝送装置（２０）が先に送信したテストメッセージを受信した旨の通知、又は、送信するポートを変更すべき旨の指示を行うようにすることができる。なお、テストメッセージを送信した自装置の送信ポート番号とテストメッセージを受信した対向伝送装置（２０）の受信ポート番号とは、対向伝送装置（２０）から送られてくるテストステータスメッセージ中に記述（格納）されている。
【００２９】
テストステータスメッセージ受信部３４は、自装置の送信ポート番号と対向伝送装置（４０）におけるテストメッセージを受信する受信ポート番号とが記述されたテストステータスメッセージを受信する。なお、テストステータスメッセージは、対向伝送装置（４０）のテストステータスメッセージ送信部４４から、制御チャネル上で伝送される。
【００３０】
テストステータスメッセージの例を、図９に示す。図９のテストステータスメッセージは、宛先アドレス１０１、送信元アドレス１０２、メッセージ（ＭＳＧ）タイプ１０３、送信ポート番号１０４及び受信ポートの番号１０５から構成されている。宛先アドレス１０１は、テストステータスメッセージの宛先となる光伝送装置のアドレスである。送信元アドレス１０２は、テストステータスメッセージを送信した光伝送装置のアドレスである。メッセージ（ＭＳＧ）タイプ１０３は、メッセージの種別を表し、テストステータスメッセージでは“ＴＥＳＴ  ＳＴＡＴＵＳ”が格納されている。送信ポート番号１０４は、テストメッセージを送信した送信ポートの番号である。この番号は、テストメッセージ及びビギンベリファイメッセージに記述されて送信ポート番号と同じである。受信ポート番号１０５は、テストメッセージを受信した受信ポートの番号である。
【００３１】
テストメッセージ送信部３５は、送信ポート制御部３８にテストメッセージを送信すべき送信ポート番号を通知する。また、その送信すべき送信ポート番号を記述したテストメッセージを生成して、その生成したテストメッセージを電気／光変換器３９を介して光スイッチモジュールに供給する。
【００３２】
テストスメッセージの例を、図１０に示す。図１０のテストメッセージは、宛先アドレス１１１、送信元アドレス１１２、メッセージ（ＭＳＧ）タイプ１１３及び送信ポート番号１１４から構成されている。宛先アドレス１１１は、テストメッセージの宛先となる光伝送装置のアドレスである。送信元アドレス１１２は、テストメッセージを送信した光伝送装置のアドレスである。メッセージ（ＭＳＧ）タイプ１１３は、メッセージの種別を表し、テストメッセージでは“ＴＥＳＴ”が格納されている。送信ポート番号１１４は、テストメッセージを送信した送信ポートの番号である。
【００３３】
電気／光変換器３９は、光スイッチモジュール３２の入力側に位置し、テストメッセージ送信部３５から送信されたテストメッセージをユーザデータが伝送されるデータリンクに乗せる。なお、電気／光変換器３９は、テストメッセージ送信部３５からの信号で、そのオン／オフが制御される発光ダイオードであってもよい。
【００３４】
ポート番号対応テーブル３６は、テーブル管理部３３により管理され、自装置の送信ポートと対向伝送装置（４０）の受信ポートとの対応関係が格納されているデータベースである。
【００３５】
送信ポート制御部３８は、テストメッセージ送信部３５からの指示に従い、光スイッチモジュール３２の方路を切り替え、テストメッセージを送信すべき送信ポートを変更する。
（テストメッセージ受信側の光伝送装置）
テストメッセージ受信側の光伝送装置４０は、制御ユニット４１、光スイッチモジュール４２及び光／電気変換器（Ｏ／Ｅ）４９から構成されている。また、制御ユニット４１は、テーブル管理部４３、テストステータス（Ｔｅｓｔ  Ｓｔａｔｕｓ）メッセージ送信部４４、テスト（Ｔｅｓｔ）メッセージ受信部４５、ポート番号対応テーブル４６及び受信ポート制御部４８から構成されている。
【００３６】
光スイッチモジュール４２は、光スイッチ回路であり、ユーザデータが伝送される光信号上に存在し、受信した光信号の方路を変更（スイッチング）する。
【００３７】
テーブル管理部４３は、ポート番号対応テーブル４６を管理する。テストメッセージを送信した対向伝送装置（３０）の送信ポート番号と、テストメッセージを受信した自装置の受信ポート番号とを対応させてポート番号対応テーブル４６に格納する。なお、テストメッセージを送信した対向伝送装置（３０）の送信ポート番号は、受信したテストメッセージ中に記述されている。
【００３８】
テストステータスメッセージ送信部４４は、対向伝送装置（３０）のテストメッセージを送信した送信ポート番号と、自装置のテストメッセージを受信した受信ポート番号とを記述したテストステータスメッセージを、制御チャネル上で対向伝送装置（３０）に伝送する。
【００３９】
テストメッセージ受信部４５は、光／電気変換器４９を介してデータリンク上で伝送されたテストメッセージを受信する。そして、テーブル管理部４３にテストメッセージを受信した受信ポート番号を通知する。必要に応じて、受信ポート制御部４８を制御する。
【００４０】
ポート番号対応テーブル４６は、自装置の受信ポートと対向伝送装置（３０）の送信ポートの対応関係が格納されているデータベースである。
【００４１】
受信ポート制御部４８は、テストメッセージ受信部４５からの指示に従い、又は、一定周期ごとに光スイッチモジュールの方路を切り替え、テストメッセージを受信すべき受信ポートを変更する。
【００４２】
光／電気変換器４９は、光スイッチモジュール４２の出力側に位置し、データリンク上を伝送されたテストメッセージを受信し、テストメッセージ受信部４５に渡す。
【００４３】
このシステム構成によれば、従来の光／電気／光変換器であるトランスポンダに代えて、電気／光変換器を用いるので、光／電気変換部分がないだけ、装置構成を簡素化できる。また、従来のトランスポンダは、ポート毎に設けるので、ポートの数だけのトランスポンダが必要となるが、このシステム構成によれば、電気／光変換器を光スイッチモジュールの入力側に設けたので、少なく１つの電気／光変換器を用意するだけで、ＬＭＰと同様に、対向光伝送装置間のデータリンク接続関係を検索及び設定を行うことができる。
（第２のシステム構成図）
図６に、対向する２つの光伝送装置から構成される第２のポート番号検索システムを示す。
（テストメッセージ送信側の光伝送装置）
テスト（Ｔｅｓｔ）送信側の光伝送装置５０は、制御ユニット５１、光スイッチモジュール５２及びレーザ５９から構成されている。また、制御ユニット５１は、テーブル管理部５３、テストステータス（Ｔｅｓｔ  Ｓｔａｔｕｓ）メッセージ受信部５４、ビギンベリファイ（Ｂｅｇｉｎ  Ｖｅｒｉｆｙ）メッセージ送信部５５、ポート番号対応テーブル５６、光信号制御部５７及び送信ポート制御部５８から構成されている。
【００４４】
なお、光伝送装置５０における光スイッチモジュール５２、ポート番号対応テーブル５６及び送信ポート制御部５８は、図５における光スイッチモジュール３２、ポート番号対応テーブル３６及び送信ポート制御部３８を用いることができる。
【００４５】
テーブル管理部５３は、ポート番号対応テーブル５６を管理する。レーザ５９で発光した光信号を送信した自装置の送信ポート番号と、該光信号を受光した対向伝送装置（６０）の受信ポート番号とをポート番号対応テーブルに格納する。また、送信ポート制御部５８に対して、レーザ５９が発光した光信号を送信する送信ポートを指示し、更に、ビギンベリファイメッセージ送信部５５に対して、この光信号を送信する送信ポートの番号（送信ポート番号）を通知する。
【００４６】
テストステータスメッセージ受信部５４は、対向伝送装置（６０）が受光した受信ポート番号が記述されたテストステータスメッセージを受信する。なお、テストステータスメッセージは、対向伝送装置（６０）のテストステータスメッセージ送信部６４から、制御チャネル上で伝送される。また、テストステータスメッセージは、図５の場合と同様に、自装置の光信号を送信する送信ポート番号と、この光信号を受光した対向伝送装置（６０）の受信ポート番号とが記述されていてもよい。
【００４７】
ビギンベリファイメッセージ送信部５５は、レーザ５９からの光信号が送信される自装置の送信ポート番号を記述したビギンベリファイメッセージを制御チャネル上で対向伝送装置（６０）に送信する。
【００４８】
ビギンベリファイメッセージの例を、図１１に示す。図１１のテストメッセージは、宛先アドレス１２１、送信元アドレス１２２、メッセージ（ＭＳＧ）タイプ１２３及び送信ポート番号１２４から構成されている。宛先アドレス１２１は、ビギンベリファイメッセージの宛先となる光伝送装置のアドレスである。送信元アドレス１２２は、ビギンベリファイメッセージを送信した光伝送装置のアドレスである。メッセージ（ＭＳＧ）タイプ１２３は、メッセージの種別を表し、ビギンベリファイメッセージでは“ＢＥＧＩＮ  ＶＥＲＩＦＹ”が格納されている。送信ポート番号１２４は、光信号を送信した送信ポートの番号である。
【００４９】
光信号制御部５７は、テーブル管理部５３からの指示を受けて、レーザ５９を発光させる。また、送信ポート制御部５８に対して、レーザ５９からの光信号が送信される自装置の送信ポート番号を通知し、レーザ５９を発光させる。また、光信号制御部５７は、単に、レーザ５９を発光させるだけでなく、ディジタル信号に基づいて、レーザ５９をオン／オフするようにしてもよい。これにより、この光出力信号が、二つの光伝送装置間のポート番号の検索と設定用の光信号であることを、特徴付けることができる。
【００５０】
送信ポート制御部５８は、光信号制御部５７からの指示に従い、光スイッチモジュール５２の方路を切り替え、テストメッセージを送信すべき送信ポートを変更する。
【００５１】
レーザ５９は、光信号制御部５７の制御により、発光が制御される。発光された光信号は、光スイッチモジュール５２に供給される。なお、レーザ５９は、図５の場合と同様に、電気／光変換器であってもよい。
（テストメッセージ受信側の光伝送装置）
テストメッセージ受信側の光伝送装置６０は、制御ユニット６１、光スイッチモジュール６２及び受光器６９から構成されている。また、制御ユニット６１は、テーブル管理部６３、テストステータス（Ｔｅｓｔ  Ｓｔａｔｕｓ）メッセージ送信部６４、ビギンベリファイ（Ｂｅｇｉｎ  Ｖｅｒｉｆｙ）メッセージ受信部６５、ポート番号対応テーブル６６、光信号モニタ６７及び受信ポート制御部６８から構成されている。
【００５２】
なお、光伝送装置６０における光スイッチモジュール６２、ポート番号対応テーブル６６及び受信ポート制御部６８は、図５における光スイッチモジュール４２、ポート番号対応テーブル４６及び受信ポート制御部４８を用いることができる。
【００５３】
テーブル管理部６３は、ポート番号対応テーブル６６を管理する。受信したビギンベリファイメッセージで通知された対向伝送装置（５０）における光信号の送信ポート番号と、その光信号を受光した自装置の受信ポート番号とをポート番号対応テーブル６６に格納する。
【００５４】
テストステータスメッセージ送信部６４は、受光した受信ポート番号を記述したテストステータスメッセージを制御チャネル上で対向伝送装置（５０）に送信する。また、テストステータスメッセージは、図５の場合と同様に、対向装置の光信号を送信する送信ポート番号と、この光信号を受光した自装置の受信ポート番号とが記述されていてもよい。
【００５５】
ビギンベリファイメッセージ受信部６５は、対向伝送装置（５０）のビギンベリファイメッセージ送信部５５が送信したビギンベリファイメッセージを受信する。なお、ビギンベリファイメッセージには、対向伝送装置（５０）における光信号が送信された送信ポート番号が記述され、このビギンベリファイメッセージは、制御チャネルで伝送される。
【００５６】
受信ポート制御部６８は、光信号モニタ６７からの指示に従い、又は、一定周期ごとに光スイッチモジュールの方路を切り替え、対向伝送装置（５０）のレーザ５９からの光信号を受信すべき受信ポートを変更する。
【００５７】
受光器６９は、光スイッチモジュール６２の出力側に位置し、データリンク上を伝送された対向伝送装置（５０）のレーザ５９からの光を受信し、光信号モニタ６７に渡す。
【００５８】
このシステム構成によれば、ビギンベリファイメッセージ送信部及びビギンベリファイメッセージ受信部を設けて、光信号が送信される送信ポート番号を授受するので、光信号に、光信号が送信される送信ポート番号を乗せる必要がない。
【００５９】
したがって、従来の光／電気／光変換器であるトランスポンダに代えて、レーザ、受光器を用いることができ、装置構成を簡素化できる。また、光信号が送信される送信ポート番号が、光信号に乗せられていないので、この光信号を扱う光信号の送信系及び光信号の受光系の回路構成を簡素化できる。
（第３のシステム構成図）
図７に、対向する２つの光伝送装置から構成される第３のポート番号検索システムを示す。
（テストメッセージ送信側の光伝送装置）
テスト（Ｔｅｓｔ）送信側の光伝送装置７０は、制御ユニット７１、光スイッチモジュール７２及びトランスポンダ（電気／光／電気変換器）７８〜８０から構成されている。また、制御ユニット７１は、テーブル管理部７３、テストステータス（Ｔｅｓｔ  Ｓｔａｔｕｓ）メッセージ受信部７４、ビギンベリファイ（Ｂｅｇｉｎ  Ｖｅｒｉｆｙ）メッセージ送信部７５、ポート番号対応テーブル７６及び光信号制御部７７から構成されている。
【００６０】
なお、光伝送装置７０における光スイッチモジュール７２、テーブル管理部７３、テストステータスメッセージ受信部７４、ビギンベリファイメッセージ送信部７５及びポート番号対応テーブル７６は、図６における光スイッチモジュール５２、テーブル管理部５３、テストステータスメッセージ受信部５４、ビギンベリファイメッセージ送信部５５及びポート番号対応テーブル５６を用いることができる。
【００６１】
光信号制御部７７は、光スイッチモジュール７２の出力側にあるトランスポンダ７８〜８０の一つから光信号を出力するように、トランスポンダ７８〜８０を制御する。
【００６２】
トランスポンダ７８〜８０は、図２（Ａ）と同様な、光／電気変換器と電気／光変換器とを有する電気／光／電気変換器であり、光信号のエラーチェック、光信号の整形、光信号の波長変換等を行う。さらに、光信号制御部７７からの制御信号に基づいて、電気／光変換器を制御して、光信号を、所定のポートから、出力する。
（テストメッセージ受信側の光伝送装置）
テストメッセージ受信側の光伝送装置９０は、制御ユニット９１、光スイッチモジュール９２及びトランスポンダ（電気／光／電気変換器）９８〜１００から構成されている。また、制御ユニット９１は、テーブル管理部９３、テストステータス（Ｔｅｓｔ  Ｓｔａｔｕｓ）メッセージ送信部９４、ビギンベリファイ（Ｂｅｇｉｎ  Ｖｅｒｉｆｙ）メッセージ受信部９５、ポート番号対応テーブル９６及び光信号モニタ９７から構成されている。
【００６３】
なお、光伝送装置９０における光スイッチモジュール９２、テーブル管理部９３、テストステータスメッセージ送信部９４、ビギンベリファイメッセージ受信部９５及びポート番号対応テーブル９６は、図６における光スイッチモジュール６２、テーブル管理部６３、テストステータスメッセージ受信部６４、ビギンベリファイメッセージ送信部６５及びポート番号対応テーブル６６を用いることができる。
【００６４】
光信号モニタ９７は、光スイッチの入力側にあるトランスポンダ９８〜１００の受光状態を監視し、モニタ状態をテーブル管理部９３に通知する。
【００６５】
トランスポンダ９８〜１００は、図２（Ｂ）と同様な、光／電気変換器と電気／光変換器とを有する電気／光／電気変換器であり、光信号のエラーチェック、光信号の整形、光信号の波長変換等を行う。さらに、光／電気変換器の出力を光信号モニタ９７に供給する。
【００６６】
第３のシステムは、対向する２つの光伝送装置間に、エラーチェック、光信号の整形、光信号の波長変換等を行うために、電気／光／電気変換器を設ける必要がある場合に適用できる。
【００６７】
このシステム構成によれば、ビギンベリファイメッセージ送信部及びビギンベリファイメッセージ受信部を設けて、光信号が送信される送信ポート番号を授受するので、光信号に、光信号が送信される送信ポート番号を乗せる必要がない。
【００６８】
したがって、光／電気／光変換器から送信される光信号に乗せられていないので、この光信号を扱う光信号制御部及び光信号モニタの回路構成を簡素化できる。
（第４のシステム構成図）
図８に、対向する２つの光伝送装置から構成される第４のポート番号検索システムを示す。
（テストメッセージ送信側の光伝送装置）
テスト（Ｔｅｓｔ）送信側の光伝送装置１３０は、制御ユニット１３１、光スイッチモジュール１３２及び電気／光変換器（Ｅ／Ｏ）１３９から構成されている。また、制御ユニット１３１は、テーブル管理部１３３、テストステータス（Ｔｅｓｔ  Ｓｔａｔｕｓ）メッセージ受信部１３４、テスト（Ｔｅｓｔ）メッセージ送信部１３５、ポート番号対応テーブル１３６、ビギンベリファイ（Ｂｅｇｉｎ  Ｖｅｒｉｆｙ）メッセージ送信部１３７及び送信ポート制御部１３８から構成されている。
【００６９】
なお、光伝送装置１３０における光スイッチモジュール１３２、テストメッセージ送信部１３５、ポート番号対応テーブル１３６、送信ポート制御部１３８及び電気／光変換器１３９は、図５における光スイッチモジュール３２、テストメッセージ送信部３５、ポート番号対応テーブル３６、送信ポート制御部３８及び電気／光変換器３９を用いることができる。また、光伝送装置１３０におけるテーブル管理部１３３、テストステータスメッセージ受信部１３４及びビギンベリファイメッセージ送信部１３７は、図６におけるテーブル管理部５３、テストステータスメッセージ受信部５４及びビギンベリファイメッセージ送信部５５を用いることができる。
（テストメッセージ受信側の光伝送装置）
テスト（Ｔｅｓｔ）受信側の光伝送装置１４０は、制御ユニット１４１、光スイッチモジュール１４２及び電気／光変換器（Ｏ／Ｅ）１４９から構成されている。また、制御ユニット１４１は、テーブル管理部１４３、テストステータス（Ｔｅｓｔ  Ｓｔａｔｕｓ）メッセージ送信部１４４、テスト（Ｔｅｓｔ）メッセージ受信部１４５、ポート番号対応テーブル１４６、ビギンベリファイ（Ｂｅｇｉｎ  Ｖｅｒｉｆｙ）メッセージ受信部１４７及び受信ポート制御部１４８から構成されている。
【００７０】
なお、光伝送装置１４０における光スイッチモジュール１４２、テストメッセージ受信部１４５、ポート番号対応テーブル１４６、受信ポート制御部１４８及び電気／光変換器１４９は、図５における光スイッチモジュール４２、テストメッセージ受信部４５、ポート番号対応テーブル４６、受信ポート制御部４８及び電気／光変換器４９を用いることができる。また、光伝送装置１４０におけるテーブル管理部１４３、テストステータスメッセージ送信部１４４及びビギンベリファイメッセージ受信部１４７は、図６におけるテーブル管理部６３、テストステータスメッセージ送信部６４及びビギンベリファイメッセージ受信部６５を用いることができる。
【００７１】
第４のシステムは、図５及び図６の混合システムである。必要に応じて、図５又は図６のシステムに代えて、実施することができる。
（第１の実施例）
図５に示したシステム構成図を用いて、光伝送装置間のデータリンク接続関係を検索、設定する第１の実施例の手順について説明する。
【００７２】
テストメッセージ受信側の光伝送装置とテストメッセージ送信側の光伝送装置は、お互いに独立して動作する（以下の実施例においても同じ）。図１２では、両者の動作を記述しているため、連携して動いているように見えるが、お互いに独立して動作している。以下では、装置毎に動作を説明する。
（テストメッセージ送信側の光伝送装置の処理）
テストメッセージの送信処理
▲１▼テストメッセージ送信部３５は、テストメッセージを送信する予定の送信ポート番号を送信ポート制御部３８に通知する。通知を受けて、送信ポート制御部３８は、電気／光変換器３９からの光信号が、通知された送信ポートから出力されるように光スイッチモジュール３２を設定する。（最初は一番若いポート番号の送信ポート＃１が設定される。）
なお、テストメッセージ送信部３５は、定期的に、又は、テーブル管理部３３から、対向伝送装置（２０）がテストメッセージを受信した旨の通知を受けて、送信するポートを変更する。
その他、送信メッセージ送信部３５は、必要に応じて、テーブル管理部３３から、テストメッセージを送信すべきポート番号の指示、又は、送信するポートを変更すべき旨の指示を受けるようにすることができる。
【００７３】
▲２▼テストメッセージ送信部３５は、電気／光変換器３９にテストメッセージ信号を供給して、電気／光変換器３９からテストメッセージ光信号を出力させる。このテストメッセージ光信号は、光スイッチモジュール３２に供給される。送信ポート制御部３８の制御により、この光信号は、テストメッセージ送信部３５が指定した送信ポートから、データリンク上に送信される。テストメッセージ送信部３５は、予め、送信するテストメッセージに送信ポートの番号を記述しておく。
【００７４】
▲３▼テストメッセージ送信部３５は、若い番号の送信ポートから、順に、テストメッセージが送信されるように制御する。ただし、送信ポート番号が最も大きいポート番号になった場合には、最も若いポート番号に戻る。（つまり、送信ポート＃１→送信ポート＃２→送信ポート＃３→送信ポート＃１→…と順に送信する。）
テストステータスメッセージの受信処理
▲１▼テストステータスメッセージ受信部３４は、自装置におけるテストメッセージの送信ポート番号と、テストメッセージの受信対向伝送装置の受信ポート番号とが記述されたテストステータスメッセージを受信する。このテストステータスメッセージは制御チャネル上で伝送される。また、受信したテストステータスメッセージを、テーブル管理部３３に伝送する。
【００７５】
▲２▼テーブル管理部３３は、受信したテストステータスメッセージに格納されている、テストメッセージを送信した自装置の送信ポート番号と、テストメッセージを受信した対向伝送装置の受信ポート番号とをポート番号対応テーブルに格納する。
（テストメッセージ受信側の光伝送装置の処理）
テストメッセージの受信処理
▲１▼テストメッセージ受信部４５は、テストメッセージを受信する受信ポートを受信ポート制御部４８に通知する。受信ポート制御部４８は、テストメッセージ受信部４５からの通知内容に基づいて、光スイッチモジュール４２を設定する。
（最初は一番若いポート番号の受信ポート＃１に設定される。）
この状態で、対向伝送装置（３０）が送信したテストメッセージが、設定された受信ポートに印加された場合は、光／電気変換器４９を介して、テストメッセージ受信部４５は、対向伝送装置（３０）が送信したテストメッセージを受信する。
【００７６】
なお、この状態で、対向伝送装置（３０）が送信したテストメッセージが、設定した受信ポートに印加されていない場合は、受信されるまで待つ。
【００７７】
以下の処理は、設定した受信ポートから光信号の入力があった場合に行われる。
【００７８】
▲２▼テストメッセージ受信部４５が、光／電気変換器４９を経由してデータリンク上を伝送されたテストメッセージを受信したとき、テストメッセージ受信部４５はテーブル管理部４３にテストメッセージ及びテストメッセージの受信ポート番号を通知する。
【００７９】
▲３▼テーブル管理部４３は、受信したテストメッセージに記述されている、テストメッセージを送信した対向伝送装置の送信ポート番号と、テストメッセージを受信した自装置の受信ポート番号とをポート番号対応テーブルに格納する。そして、テストステータスメッセージ送信部４４に登録した内容を通知する。
テストステータスメッセージの送信処理
▲１▼テストステータスメッセージ送信部４４は、テストメッセージを送信した対向伝送装置（３０）の送信ポート番号とテストメッセージを受信した自装置の受信ポート番号とを記述したテストステータスメッセージを制御チャネル上で対向伝送装置（３０）に送信する。
【００８０】
▲２▼上記「（３）▲２▼」の処理終了後、テストメッセージ受信部４５は、次に若い番号の受信ポートからテストメッセージを受信するようして、上記の動作を繰り返す。ただし、受信ポート番号が最も大きいポート番号になった場合には、最も若いポート番号に戻る。（つまり、受信ポート＃１→受信ポート＃２→受信ポート＃３→受信ポート＃１→…と順に受信するようにする。）
図１２に第１の実施例の動作が示されている。当初、テストメッセージ送信側の光伝送装置３０のポート番号＃１から、テストメッセージが送信される。一方、テストメッセージ受信側の光伝送装置４０では、ポート番号＃１でテストメッセージを受信するように設定されている。ところで、テストメッセージ送信側の光伝送装置３０のポート番号＃１と、テストメッセージ受信側の光伝送装置４０のポート番号＃１とが接続されていないので、図１２（Ａ）に示されているように、テストメッセージ受信側の光伝送装置４０は、テストメッセージを受信することができない。
【００８１】
その後、所定期間後、テストメッセージ送信部３５は、テストメッセージを送信する送信ポート番号を変更するよう、送信ポート制御部３８に通知する。通知を受けて、送信ポート制御部３８は、電気／光変換器３９からの光信号が、送信ポート番号＃２から出力されるように光スイッチモジュール３２を設定する。その結果、テストメッセージ送信側の光伝送装置３０のポート番号＃２と、テストメッセージ受信側の光伝送装置４０のポート番号＃１とが接続されているので、図１２（Ｂ）に示されているように、テストメッセージ受信側の光伝送装置４０は、テストメッセージを受信することができる。
【００８２】
その後、テストメッセージ受信側の光伝送装置４０は、上記「（３）▲２▼、▲３▼」及び「（４）」▲１▼、▲２▼」の処理を行う。その結果、テストメッセージ受信側の光伝送装置４０では、ポート番号＃２でテストメッセージを受信するように設定される。
【００８３】
一方、テストメッセージ送信側では、ポート番号＃２に次いで、ポート番号＃３から、テストメッセージを送信するように設定される。しかしながら、テストメッセージ送信側の光伝送装置３０のポート番号＃３と、テストメッセージ受信側の光伝送装置４０のポート番号＃２とが接続されていないので、図１２（Ｃ）に示されているように、テストメッセージ受信側の光伝送装置４０は、テストメッセージを受信することができない。
【００８４】
その後、テストメッセージ送信部３５は、テストメッセージを送信するポート番号を変更して、送信ポート番号＃１から出力されるように光スイッチモジュール３２を設定する。その結果、テストメッセージ送信側の光伝送装置３０のポート番号＃１と、テストメッセージ受信側の光伝送装置４０のポート番号＃２とが接続されているので、図１２（Ｄ）に示されているように、テストメッセージ受信側の光伝送装置４０は、テストメッセージを受信することができる。
【００８５】
この結果、テストメッセージ送信側の光伝送装置３０のポート番号＃１、＃２及び＃３のそれぞれに対応して、テストメッセージ受信側の光伝送装置４０のポート番号＃２、＃１及び＃３が、ポート番号対応テーブル３６、４６に格納される。
【００８６】
このようにして、自動的に、かつ、簡単な回路構成で、対向する二つの光伝送装置間のポート番号の検索と設定とを行うことができる。
（第２の実施例）
図５に示した光伝送装置を用いて装置間のデータリンク接続関係を検索、設定する第２の実施例の手順について説明する。
【００８７】
第１の実施例では、テストメッセージ受信側の光伝送装置が特定受信ポートを監視し、テストメッセージ送信側の光伝送装置が送信ポートを巡回させながらテストメッセージを送信していた。これに対し、第２の実施例では、逆に、テストメッセージ送信側の光伝送装置が特定送信ポートからテストメッセージを送信し、テストメッセージ受信側の光伝送装置が受信ポートを巡回させながらテストメッセージを受信する。
【００８８】
テストメッセージ受信側の光伝送装置とテストメッセージ送信側の光伝送装置とは、お互いに独立して動作するので、以下、装置毎に動作を説明する。
（テストメッセージ送信側の光伝送装置の処理）
テストメッセージの送信処理
▲１▼送信ポート制御部３８は、テストメッセージ送信部３５からの指示に従い光スイッチモジュール３２を設定する。（最初は一番若いポート番号の送信ポート＃１に指定される）
▲２▼テストメッセージ送信部３５は、電気／光変換器３９にテストメッセージ信号を供給して、電気／光変換器３９からテストメッセージ光信号を出力させる。このテストメッセージ光信号は、光スイッチモジュール３２に供給される。送信ポート制御部３８の制御により、この光信号は、テストメッセージ送信部３５が指定した送信ポートから、データリンク上に送信される。テストメッセージ送信部３５は、予め、送信するテストメッセージに送信ポートの番号を記述しておく。（最初は送信ポート＃１を記述する）
▲３▼テストメッセージ送信部３５は、一定時間周期でテストメッセージの送信を繰り返す。なお、テストメッセージ送信部３５は、送信メッセージ送信部３５は、必要に応じて、テーブル管理部３３から、対向伝送装置（２０）がテストメッセージを受信した旨の通知、テストメッセージを送信すべきポート番号の指示、又は、送信するポートを変更すべき旨の指示を受けるようにすることができる。
【００８９】
▲４▼テーブル管理部３３は、テストメッセージ送信部３５に、次に、若い番号の送信ポートからテストメッセージを送信するように指示する。（テストメッセージ送信処理の「（１）▲１▼」が起動される）
▲５▼下記のテストメッセージ受信処理の後、テーブル管理部３３は、次に若い送信ポートから光信号を送信するように変更し、上記処理を繰り返す。ただし、送信ポート番号が最も大きいポート番号になった場合には、次は最も若いポート番号に戻る。（つまり、送信ポート＃１→送信ポート＃２→送信ポート＃３→送信ポート＃１→…と順に送信する。）
テストステータスメッセージの受信処理
▲１▼テストステータスメッセージ受信部３４は、自装置におけるテストメッセージの送信ポート番号と、テストメッセージの受信対向伝送装置の受信ポート番号とが記述されたテストステータスメッセージを受信する。このテストステータスメッセージは制御チャネル上で伝送される。また、受信したテストステータスメッセージを、テーブル管理部３３に伝送する。
【００９０】
▲２▼テーブル管理部３３は、受信したテストステータスメッセージに格納されている、テストメッセージを送信した自装置の送信ポート番号と、テストメッセージを受信した対向伝送装置の受信ポート番号とをポート番号対応テーブルに格納する。
【００９１】
▲３▼テーブル管理部３３は、上記「（１）▲５▼」の送信処理を行う。
（テストメッセージ受信側の光伝送装置の処理）
（３）テストメッセージの受信処理
▲１▼テストメッセージ受信部４５は、テストメッセージを受信する受信ポートを受信ポート制御部４８に通知する。受信ポート制御部４８は、通知された受信ポートから光／電気変換器４９経由で光信号が受信されるように光スイッチモジュール４２を設定する。（最初は一番若いポート番号の受信ポート＃１に設定される）
ここで、設定した受信ポート以外からの光信号の入力は、テストメッセージ受信部４５へ到達しない。設定した受信ポートから光信号の入力があった場合には、次の「（３）▲２▼」の処理に移行する。一定時間以上テストメッセージが受信できない場合には、テストメッセージ待ちタイマが満了し、下記の「（４）▲２▼」の処理に移行する。
【００９２】
▲２▼テストメッセージ受信部４５が、光／電気変換器４９を経由してデータリンク上を伝送されたテストメッセージを受信したとき、テストメッセージ受信部４５はテーブル管理部４３にテストメッセージ及びテストメッセージの受信ポート番号を通知する。
【００９３】
▲３▼テーブル管理部４３は、受信したテストメッセージに記述されている、テストメッセージを送信した対向伝送装置（３０）の送信ポート番号と、テストメッセージを受信した自装置の受信ポート番号とをポート番号対応テーブルに格納する。そして、テストステータスメッセージ送信部４４に、テストメッセージを送信した対向伝送装置（３０）の送信ポート番号と、テストメッセージを受信した自装置の受信ポート番号とを通知する。
（４）テストステータスメッセージの送信処理
▲１▼テストステータスメッセージ送信部４４は、テストメッセージを送信した対向伝送装置（３０）の送信ポート番号とテストメッセージを受信した自装置の受信ポート番号とを記述したテストステータスメッセージを作成して、作成したテストステータスメッセージを制御チャネル上で対向伝送装置（３０）に送信する。
【００９４】
▲２▼テストメッセージ受信部４５は、次に若い番号の受信ポートからテストメッセージを受信するように受信ポートを変更し、上記「（３）▲１▼」から「（４）▲２▼」の動作を繰り返す。ただし、受信ポート番号が最も大きいポート番号になった場合には、最も若いポート番号に戻る。（つまり、受信ポート＃１→受信ポート＃２→受信ポート＃３→受信ポート＃１→…と順に受信するようにする）
図１３に第２の実施例の動作が示されている。当初、テストメッセージ送信側の光伝送装置３０のポート番号＃１から、テストメッセージが送信される。一方、テストメッセージ受信側の光伝送装置４０では、ポート番号＃１でテストメッセージを受信するように設定されている。ところで、テストメッセージ送信側の光伝送装置３０のポート番号＃１と、テストメッセージ受信側の光伝送装置４０のポート番号＃１とが接続されていないので、図１３（Ａ）に示されているように、テストメッセージ受信側の光伝送装置４０は、テストメッセージを受信することができない。
【００９５】
その後、所定期間後、テストメッセージ受信部４５は、テストメッセージを受信する受信ポート番号を変更するよう、受信ポート制御部４８に通知する。通知を受けて、受信ポート制御部４８は、テストメッセージが受信ポート番号＃２から出力されるように光スイッチモジュール４２を設定する。その結果、テストメッセージ送信側の光伝送装置３０のポート番号＃１と、テストメッセージ受信側の光伝送装置４０のポート番号＃２とが接続されているので、図１３（Ｂ）に示されているように、テストメッセージ受信側の光伝送装置４０は、テストメッセージを受信することができる。
【００９６】
さらに、テストメッセージ受信側では、ポート番号＃２に次いで、ポート番号＃３から、テストメッセージを受信するように設定される。しかしながら、テストメッセージ送信側の光伝送装置３０のポート番号＃２と、テストメッセージ受信側の光伝送装置４０のポート番号＃３とが接続されていないので、図１３（Ｃ）に示されているように、テストメッセージ受信側の光伝送装置４０は、テストメッセージを受信することができない。
【００９７】
さらに、テストメッセージ受信側では、ポート番号＃３に次いで、ポート番号＃１から、テストメッセージを受信するように設定される。その結果、テストメッセージ送信側の光伝送装置３０のポート番号＃２と、テストメッセージ受信側の光伝送装置４０のポート番号＃１とが接続されているので、図１３（Ｄ）に示されているように、テストメッセージ受信側の光伝送装置４０は、テストメッセージを受信することができる。
【００９８】
この結果、テストメッセージ送信側の光伝送装置３０のポート番号＃１、＃２及び＃３のそれぞれに対応して、テストメッセージ受信側の光伝送装置４０のポート番号＃２、＃１及び＃３が、ポート番号対応テーブル３６、４６に格納される。
【００９９】
このようにして、自動的に、かつ、簡単な回路構成で、対向する二つの光伝送装置間のポート番号の検索と設定とを行うことができる。
（第３の実施例）
図６に示した光伝送装置を用いて装置間のデータリンク接続関係を検索、設定する第３の実施例の手順について説明する。
【０１００】
データリンク接続関係を検索、設定のための光信号の受信側の光伝送装置と該光信号の送信側の光伝送装置とは、お互いに独立して動作するので、以下、装置毎に動作を説明する。
（光信号の送信側の光伝送装置の処理）
（１）ビギンベリファイメッセージ送信処理
▲１▼テーブル管理部５３は、レーザ５９の光信号を送信する送信ポートをビギンベリファイメッセージ送信部５５に通知する。（最初は一番若いポート番号の送信ポート＃１が通知される。）
▲２▼ビギンベリファイメッセージ送信部５５は、レーザ５９の光信号を送信する送信ポートを格納したビギンベリファイメッセージを制御チャネル上で対向伝送装置（６０）に送信する。
（２）光信号の送信処理
▲１▼テーブル管理部５３は、光信号制御部５７にレーザを５９の光信号を送信する送信ポート番号を通知する。（最初は送信ポート＃１が通知される。）
▲２▼光信号制御部５７は、送信ポート制御部５８に、テーブル管理部５３から通知されたポートから光信号が出力されるように光スイッチモジュール５２を設定するよう指示する。（最初は送信ポート＃１に設定する。）
▲３▼送信ポート制御部５８は、光信号制御部５７からの指示に従い光スイッチモジュール５２を設定する。（最初は送信ポート＃１が指定する。）
▲４▼光スイッチモジュール５２の設定後、光信号制御部５７は、送信ポートから光信号を出力する。（最初は送信ポート＃１から送信される。）
▲５▼テーブル管理部は、次に若い送信ポートから光信号を送信するように変更し、上記処理を繰り返す。ただし、送信ポート番号が最も大きいポート番号になった場合には、次は最も若いポート番号に戻る。（つまり、送信ポート＃１→送信ポート＃２→送信ポート＃３→送信ポート＃１→…と順に送信する。）
（３）テストステータスメッセージの受信処理
▲１▼テストステータスメッセージ受信部５４は、光信号を受信した対向伝送装置（６０）の受信ポート番号を格納し、制御チャネル上で伝送されたテストステータスメッセージを受信する。そして、テーブル管理部５３にテストステータスメッセージを伝送する。
【０１０１】
▲２▼テーブル管理部５３は、受信したテストステータスメッセージが記述されている、光信号を受信した対向伝送装置（６０）の受信ポート番号と、光信号を送信した自装置の送信ポート番号とをポート番号対応テーブル５６に格納する。
（光信号の受信側の光伝送装置の処理）
（４）光信号の受信処理
▲１▼光信号モニタ６７は、光信号を受信する受信ポート番号を受信ポート制御部６８に通知する。受信ポート制御部６８は、通知された受信ポート番号から受光器６９経由で光信号が受信されるように光スイッチモジュール６２を設定する。（最初は一番若いポート番号の受信ポート＃１に設定される。）
ここで設定した受信ポート以外からの光信号の入力は、光信号モニタへ到達せず、以下の処理は、設定した受信ポートから光信号の入力があった場合に行われる。
【０１０２】
▲２▼ビギンベリファイメッセージ受信部６５は、対向伝送装置（５０）が光信号を送る送信ポートを格納し、制御チャネル上で伝送されたビギンベリファイメッセージを受信する。そして、テーブル管理部６３に対向伝送装置（５０）が光信号を送る送信ポートを通知する。
【０１０３】
▲３▼光信号モニタ６７は、光信号を受信したら、テーブル管理部６３に受信したポート番号を通知する。
【０１０４】
▲４▼テーブル管理部６３は、ビギンベリファイメッセージで通知された対向伝送装置（５０）が光信号を送る送信ポートと、光信号を受信した自装置の受信ポート番号とをポート番号対応テーブルに格納する。そして、テストステータスメッセージ送信部６４に光信号を受信した自装置の受信ポートを通知する。
（５）ストステータスメッセージの送信処理
▲１▼テストステータスメッセージ送信部６４は、光信号を受信した自装置の受信ポートを記述したテストステータスメッセージを制御チャネル上で対向伝送装置（５０）に送信する。
【０１０５】
▲２▼上記「（３）▲３▼」）の処理終了後、光信号モニタ６７は、次に若い番号の受信ポートから光信号を受信するようして、上記の動作を繰り返す。ただし、受信ポート番号が最も大きいポート番号になった場合には、最も若いポート番号に戻る。（つまり、受信ポート＃１→受信ポート＃２→受信ポート＃３→受信ポート＃１→…と順に受信するようにする。）
図１４に第３の実施例の動作が示されている。当初、レーザ５９の光信号の送信側の光伝送装置５０のポート番号＃１から、光信号が送信される。一方、光信号受信側の光伝送装置６０では、ポート番号＃１で光信号を受信するように設定されている。ところで、光信号送信側の光伝送装置５０のポート番号＃１と、光信号受信側の光伝送装置６０のポート番号＃１とが接続されていないので、図１４（Ａ）に示されているように、光信号受信側の光伝送装置６０は、光信号を受信することができない。
【０１０６】
その後、所定期間後、光信号制御部５７は、光信号を送信する送信ポート番号を変更するよう、送信ポート制御部５８に通知する。通知を受けて、送信ポート制御部５８は、レーザ５９からの光信号が、送信ポート番号＃２から出力されるように光スイッチモジュール３２を設定する。その結果、光信号送信側の光伝送装置５０のポート番号＃２と、光信号受信側の光伝送装置６０のポート番号＃１とが接続されているので、図１４（Ｂ）に示されているように、光信号受信側の光伝送装置６０は、光信号を受信することができる。
【０１０７】
その後、光信号受信側の光伝送装置６０は、上記「（４）▲２▼、▲３▼、▲４▼」及び「（５）」▲１▼、▲２▼」の処理を行う。その結果、光信号受信側の光伝送装置６０では、ポート番号＃２で光信号を受信するように設定される。
【０１０８】
一方、光信号送信側では、ポート番号＃２に次いで、ポート番号＃３から、光信号を送信するように設定される。しかしながら、光信号送信側の光伝送装置５０のポート番号＃３と、光信号受信側の光伝送装置６０のポート番号＃２とが接続されていないので、図１４（Ｃ）に示されているように、光信号受信側の光伝送装置６０は、光信号を受信することができない。
【０１０９】
その後、光信号送信部３５は、光信号を送信するポート番号を変更して、送信ポート番号＃１から出力されるように光スイッチモジュール５２を設定する。その結果、光信号送信側の光伝送装置５０のポート番号＃１と、光信号受信側の光伝送装置６０のポート番号＃２とが接続されているので、図１４（Ｄ）に示されているように、光信号受信側の光伝送装置６０は、光信号を受信することができる。
【０１１０】
この結果、光信号送信側の光伝送装置５０のポート番号＃１、＃２及び＃３のそれぞれに対応して、光信号受信側の光伝送装置６０のポート番号＃２、＃１及び＃３が、ポート番号対応テーブル５６、６６に格納される。
【０１１１】
このようにして、自動的に、かつ、簡単な回路構成で、対向する二つの光伝送装置間のポート番号の検索と設定とを行うことができる。
（第４の実施例）
図６に示した光伝送装置を用いて装置間のデータリンク接続関係を検索、設定する第４の実施例の手順について説明する。
【０１１２】
第３の実施例では、光信号受信側の光伝送装置が特定受信ポートを監視し、光信号送信側の光伝送装置が送信ポートを巡回させながら光信号を送信していた。これに対し、第４の実施例では、逆に、光信号送信側の光伝送装置が特定送信ポートから光信号を送信し、光信号受信側の光伝送装置が受信ポートを巡回させながら光信号を受信する。
【０１１３】
データリンク接続関係を検索、設定のための光信号の受信側の光伝送装置と該光信号の送信側の光伝送装置とは、お互いに独立して動作するので、以下、装置毎に動作を説明する。
（光信号の送信側の光伝送装置の処理）
ビギンベリファイメッセージ送信処理
▲１▼テーブル管理部５３は、レーザ５９の光信号を送信する送信ポートをビギンベリファイメッセージ送信部５５に通知する。（最初は一番若いポート番号の送信ポート＃１が通知される。）
▲２▼ビギンベリファイメッセージ送信部５５は、レーザ５９の光信号を送信する送信ポートを記述したビギンベリファイメッセージを制御チャネル上で対向伝送装置（６０）に送信する。
（２）光信号の送信処理
▲１▼テーブル管理部５３は、光信号制御部５７にレーザ５９の光信号を送信する送信ポートを通知する。（最初は送信ポート＃１が通知される。）
▲２▼光信号制御部５７は、送信ポート制御部５８に、テーブル管理部５３から通知されたポートから光信号が出力されるように光スイッチモジュール５２を設定するよう指示する。（最初は送信ポート＃１に設定する。）
▲３▼送信ポート制御部５８は、光信号制御部５７からの指示に従い光スイッチモジュール５２を設定する。（最初は送信ポート＃１が設定される。）
▲４▼光スイッチモジュール５２の設定後、光信号制御部５７は、送信ポート＃１から光信号を出力する。（最初は送信ポート＃１から送信される。）
▲５▼下記のテストステータスメッセージ受信処理の後、テーブル管理部５３は、次に若い送信ポートから光信号を送信するように変更し、上記処理を繰り返す。ただし、送信ポート番号が最も大きいポート番号になった場合には、次は最も若いポート番号に戻る。（つまり、送信ポート＃１→送信ポート＃２→送信ポート＃３→送信ポート＃１→…と順に送信する。）
（３）テストステータスメッセージの受信処理
▲１▼テストステータスメッセージ受信部５４は、光信号を受信した対向伝送装置（６０）の受信ポート番号を格納し、制御チャネル上で伝送されたテストステータスメッセージを受信する。そして、テーブル管理部５３にテストステータスメッセージを伝送する。
【０１１４】
▲２▼テーブル管理部５３は、受信したテストステータスメッセージが記述されている、光信号を受信した対向伝送装置（６０）の受信ポート番号と、光信号を送信した自装置の送信ポート番号とをポート番号対応テーブル５６に格納する。
【０１１５】
▲３▼テーブル管理部は、上記「（２）▲５▼」の送信処理を行う。
【０１１６】
▲４▼この処理を繰り返す。
（光信号の受信側の光伝送装置の処理）
（４）ビギンベリファイメッセージ受信処理
▲１▼ビギンベリファイメッセージ受信部５５は、レーザ５９の光信号を送信する送信ポートが記述され、制御チャネル上で伝送されたビギンベリファイメッセージを受信する。そして、テーブル管理部６３に対向伝送装置（５０）が光信号を送信した送信ポート番号を通知する。
（５）光信号の受信処理
▲１▼光信号モニタ６７は、光信号を受信する受信ポート番号を受信ポート制御部６８に通知する。受信ポート制御部６８は、通知された受信ポートから受光器６９経由で光信号が受信されるように光スイッチモジュール６２を設定する。（最初は一番若いポート番号の受信ポート＃１に設定される）
ここで設定した受信ポート以外からの光信号の入力は、制御ユニット６１へ到達せず、以下の処理は、設定した受信ポートから光信号の入力があった場合に行われる。一定時間以上制御ユニット６１が光信号を受信できない場合には、光信号待ちタイマが満了し、下記の「（６）」の処理に移行する。
【０１１７】
▲２▼光信号モニタ６７は光信号を受信したら、テーブル管理部６３に受信したポート番号を通知する。
【０１１８】
▲３▼テーブル管理部６３は、ビギンベリファイメッセージで通知された対向伝送装置（５０）が光信号を送信する送信ポート番号と、光信号を受信した自装置の受信ポート番号とをポート番号対応テーブルに格納する。そして、テストステータスメッセージ送信部６４に、光信号を受信した自装置の受信ポートを通知する。
【０１１９】
▲４▼テストステータスメッセージ送信部６４は、光信号を受信した自装置の受信ポートを記述したテストステータスメッセージを制御チャネル上で対向伝送装置（５０）に送信する。
（６）処理の繰り返し
▲１▼光信号モニタは、次に若い番号の受信ポートから光信号を受信するように、受信ポートを変更し、上記「（５）▲１▼」から上記の動作を繰り返す。この場合、受信ポート制御部６８は、受信ポート＃２から受光器６９に光が入力されるように光スイッチモジュール６２を設定する。ただし、上記「（５）▲１▼」において受信ポート番号が最も大きいポート番号になった場合には、最も若いポート番号に戻る。（つまり、受信ポート＃１→受信ポート＃２→受信ポート＃３→受信ポート＃１→…と順に受信するようにする。）
▲２▼ビギンベリファイメッセージを受信したら上記「（４）▲１▼」から動作を再度開始するか、上記「（５）▲１▼」から上記「（６）▲１▼」の動作を繰り返しながら、非同期に上記「（５）▲１▼」のみを行ってテーブル管理部が持っている送信ポートの番号を更新する。
【０１２０】
図１５に第４の実施例の動作が示されている。当初、光信号送信側の光伝送装置５０のポート番号＃１から、光信号が送信される。一方、光信号受信側の光伝送装置６０では、ポート番号＃１で光信号を受信するように設定されている。ところで、光信号送信側の光伝送装置５０のポート番号＃１と、光信号受信側の光伝送装置６０のポート番号＃１とが接続されていないので、図１５（Ａ）に示されているように、光信号受信側の光伝送装置６０は、光信号を受信することができない。
【０１２１】
その後、所定期間後、光信号モニタ６７は、光信号を受信する受信ポート番号を変更するよう、受信ポート制御部６８に通知する。通知を受けて、受信ポート制御部６８は、光信号が受信ポート番号＃２から出力されるように光スイッチモジュール６２を設定する。その結果、光信号送信側の光伝送装置５０のポート番号＃１と、光信号受信側の光伝送装置６０のポート番号＃２とが接続されているので、図１５（Ｂ）に示されているように、光信号受信側の光伝送装置６０は、光信号を受信することができる。
【０１２２】
さらに、光信号受信側では、ポート番号＃２に次いで、ポート番号＃３から、光信号を受信するように設定される。しかしながら、光信号送信側の光伝送装置５０のポート番号＃２と、光信号受信側の光伝送装置６０のポート番号＃３とが接続されていないので、図１５（Ｃ）に示されているように、光信号受信側の光伝送装置６０は、光信号を受信することができない。
【０１２３】
さらに、光信号受信側では、ポート番号＃３に次いで、ポート番号＃１から、光信号を受信するように設定される。その結果、光信号送信側の光伝送装置５０のポート番号＃２と、光信号受信側の光伝送装置６０のポート番号＃１とが接続されているので、図１５（Ｄ）に示されているように、光信号受信側の光伝送装置６０は、光信号を受信することができる。
【０１２４】
この結果、光信号送信側の光伝送装置５０のポート番号＃１、＃２及び＃３のそれぞれに対応して、光信号受信側の光伝送装置６０のポート番号＃２、＃１及び＃３が、ポート番号対応テーブル５６、６６に格納される。
【０１２５】
このようにして、自動的に、かつ、簡単な回路構成で、対向する二つの光伝送装置間のポート番号の検索と設定とを行うことができる。
（第５の実施例）
図７に示した光伝送装置を用いて装置間のデータリンク接続関係を検索、設定する第５の実施例の手順について説明する。
【０１２６】
データリンク接続関係を検索、設定のためのテスト信号の受信側の光伝送装置と該テスト信号の送信側の光伝送装置とは、お互いに独立して動作するので、以下、装置毎に動作を説明する。
（テスト信号の送信側の光伝送装置の処理）
（１）ビギンベリファイメッセージ送信処理
▲１▼テーブル管理部７３は、テスト信号を送る送信ポートをビギンベリファイメッセージ送信部７５に通知する。（最初は一番若いポート番号の送信ポート＃１が指定される。）なお、テスト信号として、データリンク接続関係を検索、設定のためのテスト信号であることが、判明するものであれば、どのような光信号であってもよい。
【０１２７】
▲２▼ビギンベリファイメッセージ送信部７５は、テスト信号を送る送信ポートを記述したビギンベリファイメッセージを制御チャネル上で対向伝送装置（９０）に送信する。
（２）テスト信号の送信処理
▲１▼テーブル管理部７３は、光信号制御部７７にレーザを発光し光信号を送る送信ポートを通知する。
【０１２８】
▲２▼光信号制御部７７は、テーブル管理部７３から指示された送信ポートのトランスポンダにあるレーザを発光させ、光信号を対向伝送装置（９０）に向けて送信する。
【０１２９】
▲３▼下記のテストステータスメッセージ受信処理の後、テーブル管理部７３は、次に若い送信ポートから光信号を送信するように変更し、上記処理を繰り返す。ただし、送信ポート番号が最も大きいポート番号になった場合には、次は最も若いポート番号に戻る。
ストステータスメッセージの受信処理
▲１▼テストステータスメッセージ受信部７４は、光信号を受信した対向伝送装置（９０）の受信ポート番号を格納し、制御チャネル上で伝送されたテストステータスメッセージを受信する。そして、テーブル管理部７３にテストステータスメッセージを伝送する。
【０１３０】
▲２▼テーブル管理部７３は、受信したテストステータスメッセージに記述されている、光信号を受信した対向伝送装置（９０）の受信ポート番号と、光信号を送信した自装置の送信ポート番号とをポート番号対応テーブル７６に格納する。
【０１３１】
▲３▼テーブル管理部７３は、光信号の送信処理上記「（２）▲３▼」の処理を行う。
【０１３２】
▲４▼上記の処理を繰り返す。（つまり、送信ポート＃１→送信ポート＃２→送信ポート＃３→送信ポート＃１→…と順に送信する。）
（テスト信号の受信側の光伝送装置の処理）
ビギンベリファイメッセージ受信処理
▲１▼ビギンベリファイメッセージ受信部９５は、テスト信号を送信する送信ポート番号を記述し、制御チャネル上で伝送されたビギンベリファイメッセージを受信する。そして、テーブル管理部９３に対向伝送装置（７０）が光信号を送信する送信ポート番号を通知する。
テスト信号受信処理
▲１▼光信号モニタ９７は光信号を受信したら、テーブル管理部９３に受信したポート番号を通知する。
【０１３３】
▲２▼テーブル管理部９３は、ビギンベリファイメッセージで通知された対向伝送装置（７０）が光信号を送信する送信ポート番号と、光信号を受信した自装置の受信ポート番号とをポート番号対応テーブル９６に格納する。そして、テストステータスメッセージ送信部９４に光信号を受信した自装置の受信ポート番号を通知する。
【０１３４】
▲３▼テストステータスメッセージ送信部９４は、光信号を受信した自装置の受信ポート番号を記述したテストステータスメッセージを制御チャネル上で対向伝送装置（７０）に送信する。
【０１３５】
▲４▼ビギンベリファイメッセージ受信毎に上記の動作を繰り返する。
【０１３６】
図１６に第５の実施例の動作が示されている。当初、テスト信号送信側の光伝送装置７０のポート番号＃１から、テストメッセージが送信される。テスト信号の受信側の光伝送装置９０では、テスト信号送信側の光伝送装置７０のポート番号＃１からの信号を、テストメッセージ受信側の光伝送装置９０のポート番号＃２で受信していることを、光信号モニタ９７でモニタする。この光信号モニタ９７からの自装置のポート番号２と、ビギンベリファイメッセージ受信部９５で受信した、送信側のポート番号＃１とに基づいて、テーブル管理部９３は、ビギンベリファイメッセージで通知された対向伝送装置（７０）が光信号を送信する送信ポート番号＃１と、光信号を受信した自装置の受信ポート番号＃２とを対応させてポート番号対応テーブル９６に格納する。
【０１３７】
光伝送装置７０の送信ポート＃２、＃３についても同様に、図１６（Ｂ）及び図１６（Ｃ）に示すように、対向伝送装置の受信ポートとの対応関係を検索し、各光伝送装置のポート番号対応テーブルに格納する。
【０１３８】
この結果、光信号送信側の光伝送装置７０のポート番号＃１、＃２及び＃３のそれぞれに対応して、光信号受信側の光伝送装置９０のポート番号＃２、＃１及び＃３が、ポート番号対応テーブル７６、９６に格納される。
【０１３９】
このようにして、自動的に、かつ、簡単な回路構成で、対向する二つの光伝送装置間のポート番号の検索と設定とを行うことができる。
（変形例）
（１）第１の変形
第１の実施例では、テスト送信側の光伝送装置３０又はテストメッセージ受信側の光伝送装置４０の電気／光変換器又は光／電気変換器が１つである例を示した。しかし、複数の電気／光変換器３９又は光／電気変換器４９を備えることによってデータリンクの接続関係を検索、設定する時間を短くすることができる。
【０１４０】
実際の動作は、テスト送信側の光伝送装置３０については、複数の送信ポートから同時にテストメッセージを送信することができるように、光スイッチモジュール３２の入力側にある複数の電気／光変換器３９からの光信号を異なる複数の送信ポートから送信するように送信ポート制御部３８は光スイッチモジュール３２を設定する。そして、電気／光変換器３９からテストメッセージを送信し、順に、又は全ての電気／光変換器３９からテストメッセージを送信した後、送信ポート制御部は、未だテストメッセージを送信していない送信ポートへ電気／光変換器３９からの光信号を送信するように設定する。
【０１４１】
テストメッセージ受信側の光伝送装置４０についても、同様に複数の受信ポートからテストメッセージを受信できるようにすればよい。
【０１４２】
なお、この変形は、第２の実施例にも適用可能である。
（２）第２の変形
第１の実施例では、テストメッセージ受信側の光伝送装置４０は、どの受信ポートを監視していたとしても、テスト送信側の光伝送装置３０が全ての送信ポートからテストメッセージを送信すれば、かならずテストメッセージが受信できることを想定して動作している。伝送路等に障害が発生してない場合や必ず全てのリンクが対向伝送装置間で接続されている場合には問題ない。しかし、テストメッセージが損失してしまった場合、テストメッセージ受信側の光伝送装置４０はある受信ポートを監視しつづけてしまし、動作が停止してしまう可能性がある。そこで、テストメッセージ待ちタイムを用いる。テストメッセージを受信するとテストメッセージタイマはリセットされる。そして、テストメッセージが障害等で到着しない場合には、テストメッセージ待ちタイムが満了する（アウトアウト）。タイムアウトが発生したときには、テストメッセージ受信部は監視していた受信ポートを次に大きい番号の受信ポートに変更するようにする。
【０１４３】
なお、この拡張は第３の実施例にも適用可能である。
【０１４４】
これに準じて、第２の実施例、第４の実施例の場合は、テストステータスメッセージ待ちタイマを用い、障害等で一定時間以上テストステータスメッセージが到着しない場合に、テストメッセージ送信部はテストメッセージを送信している送信ポートを変更するようにする。
（３）第３の変形
ＬＭＰには、制御チャネル上を対向の光伝送装置間で交換するリンクサマリ（Ｌｉｎｋ  Ｓｕｍｍａｒｙ）メッセージがある。これは、光伝送装置にファイルやコマンド等により構成定義情報を入力し、ポート番号対応テーブルと作成した場合に使われる。各光伝送装置で設定された情報を基に、リンクサマリメッセージを対向の装置間で交換することにより、正しくデータリンクの接続関係が認識されているかをチェックすることができる。
【０１４５】
リンクサマリメッセージを交換した結果、対向伝送装置間で不一致であったポートや未認識であるポートを対象として、該当ポートで第１の実施例を動作させる。単純にポート番号を増加させて検査するものではないが、検索の必要のないポートを省くことができ、短時間でデータリンクの接続関係を検索し、設定することができる。
【０１４６】
なお、この変形は、第１の実施例に限らず、全ての実施例に適用することが可能である。
【０１４７】
また、エラーが発生し、再度検索したいポートだけを対象として第１の実施例〜第５の実施例を適用するという変形も可能である。
【０１４８】
なお、上記実施の形態及び実施例では、ポートの数を３として説明したが、これ以外のポートの数でも適用できる。
【０１４９】
また、本実施の形態及び実施例は、ＷＤＭ技術を用いない伝送装置であっても適用できる。しかしながら、ＷＤＭ技術を用いた光伝送装置に対して、二つの装置間におけるデータリンクの接続関係設定する場合には、テストメッセージ、光信号又はテスト信号の送信側の光伝送装置にＷＤＭ多重装置を設置し、テストメッセージ、光信号又はテスト信号の受信側の光伝送装置にＷＤＭ分離装置を設置する。
【０１５０】
また、本発明は、次のような実施の態様を有する。
（付記１）  それぞれ光スイッチを有する第１及び第２の光伝送装置間におけるデータリンクの接続関係を個々の光伝送装置に設定する光伝送システムにおいて、
前記第１の光伝送装置は、第１の光スイッチの入力側に設けた第１の制御メッセージを送信する第１の制御メッセージ送信手段と、前記第１の光スイッチのスイッチングを制御する送信ポート制御手段とを有し、
前記第１の制御メッセージ送信手段は、当該第１の制御メッセージを送信する送信ポート番号が記述された制御メッセージを送信し、
前記送信ポート制御手段は、前記第１の制御メッセージを順に異なる送信ポートから送信するように、前記第１の光スイッチを制御することを特徴とする光伝送システム。
（付記２）  前記第２の光伝送装置は、第２の光スイッチの出力側に設けた前記第１の制御メッセージを受信する第１の制御メッセージ受信手段と、前記第２の光スイッチのスイッチングを制御する受信ポート制御手段とを有し、
前記受信ポート制御手段は、前記第１の制御メッセージを順に異なる受信ポートから受信するように、前記第２の光スイッチを制御することを特徴とする請求１項記載の光伝送システム。
（付記３）  前記第１の光伝送装置の前記送信ポート制御手段は、前記第１の制御メッセージを、一定期間毎に、異なる送信ポートから送信するように、前記第１の光スイッチを制御することを特徴とする付記１又は２記載の光伝送システム。
（付記４）  前記第２の光伝送装置の前記第１の制御メッセージ受信手段は、第１の制御メッセージを受信したとき、当該第１の制御メッセージを受信した受信ポート番号の次の順位の受信ポート番号で、前記第１の制御メッセージを受信するように、前記受信ポート制御手段を制御することを特徴とする付記２は３項記載の光伝送システム。
（付記５）  前記第１の光伝送装置は、更に、前記送信ポート番号及びそのポート番号からの第１の制御メッセージを受信した前記第２の光伝送装置における受信ポート番号が記述された第２の制御メッセージを受信する第２の制御メッセージ受信手段を有し、
前記第１の光伝送装置の前記第１の制御メッセージ送信手段は、前記第２の制御メッセージを受信した後、前記第２の制御メッセージに記述された送信ポート番号の次の順のポート番号から、次の順のポート番号が記述された第１の制御メッセージを送信することを特徴とする付記１又は２記載の光伝送システム。
（付記６）  前記第２の光伝送装置は、更に、前記第２の制御メッセージを送信する第２の制御メッセージ送信手段を有し、
前記第２の光伝送装置の前記受信ポート制御手段は、前記第１の制御メッセージを、一定期間毎に、異なる受信ポートから受信するように、前記第２の光スイッチを制御することを特徴とする付記５記載の光伝送システム。
（付記７）  それぞれ光スイッチを有する第１及び第２の光伝送装置間におけるデータリンクの接続関係を個々の光伝送装置に設定する光伝送システムにおいて、
前記第１の光伝送装置は、第１の光スイッチの入力側に設けた光信号を送信する光信号送信手段と、前記第１の光スイッチのスイッチングを制御する送信ポート制御手段と、前記光信号を送信する送信ポート番号が記述された第１の制御メッセージを送信する第１の制御メッセージ送信手段とを有し、
前記送信ポート制御手段は、前記光信号を、一定周期で、順に異なる送信ポートから送信するように、前記第１の光スイッチを制御することを特徴とする光伝送システム。
（付記８）  前記第２の光伝送装置は、第２の光スイッチの出力側に設けた前記光信号を受信する光信号受信手段と、前記光信号を順に異なる受信ポートから受信するように、前記第２の光スイッチのスイッチングを制御する受信ポート制御手段とを有し、
前記光信号受信手段は、光信号を受信したとき、当該光信号を受信した受信ポート番号の次の順位の受信ポート番号で、前記光信号を受信するように、前記受信ポート制御手段を制御することを特徴とする請求７項記載の光伝送システム。
（付記９）  それぞれ光スイッチを有する第１及び第２の光伝送装置間におけるデータリンクの接続関係を個々の光伝送装置に設定する光伝送システムにおいて、
前記第１の光伝送装置は、第１の光スイッチの入力側に設けた光信号を送信する光信号送信手段と、前記第１の光スイッチのスイッチングを制御する送信ポート制御手段と、前記光信号を送信する送信ポート番号が記述された第１の制御メッセージを送信する第１の制御メッセージ送信手段と、前記送信ポート番号及びそのポート番号からの光信号を受信した前記第２の光伝送装置における受信ポート番号が記述された第２の制御メッセージを受信する第１の制御メッセージ受信手段とを有し、
前記送信ポート制御手段は、前記第２の制御メッセージを受信した後、前記第２の制御メッセージに記述された送信ポート番号の次の順のポート番号で、前記光信号を送信するように、前記受信ポート制御手段を制御することを特徴とする光伝送システム。
（付記１０）  前記第２の光伝送装置は、第２の光スイッチの出力側に設けた前記光信号を受信する光信号受信手段と、前記光信号を順に異なる受信ポートから受信するように、前記第２の光スイッチのスイッチングを制御する受信ポート制御手段と、前記第２の制御メッセージを送信する第２の制御メッセージ送信手段と、前記第１の制御メッセージを受信する第２の制御メッセージ受信手段とを有し、
前記光信号受信手段は、一定周期で、順に異なる前記光信号を受信するように、前記受信ポート制御手段を制御することを特徴とする付記９記載の光伝送システム。
（付記１１）  それぞれ光スイッチを有する第１及び第２の光伝送装置間におけるデータリンクの接続関係を個々の光伝送装置に設定する光伝送システムにおいて、
前記第１の光伝送装置は、第１の光スイッチの出力側に設けたテスト信号を送信するテスト信号送信手段と、前記テスト信号を送信する送信ポート番号が記述された制御メッセージを送信する制御メッセージ送信手段とを有し、
前記テスト信号送信手段は、前記テスト信号を、一定周期で、順に異なる送信ポートから送信することを特徴とする光伝送システム。
（付記１２）  前記第２の光伝送装置は、第２の光スイッチの入力側に設けた前記テスト信号を受信して受信状態をモニタするテスト信号受信手段と、前記メッセージを受信する制御メッセージ受信手段とを有することを特徴とする請求１１項記載の光伝送システム。
（付記１３）  それぞれ光スイッチを有する第１及び第２の光伝送装置間におけるデータリンクの接続関係を個々の光伝送装置に設定する光伝送システムにおいて、
前記第１の光伝送装置は、第１の光スイッチの出力側に設けたテスト信号を送信するテスト信号送信手段と、前記テスト信号を送信する送信ポート番号が記述された第１の制御メッセージを送信する第１の制御メッセージ送信手段と、前記送信ポート番号及びそのポート番号からのテスト信号を受信した前記第２の光伝送装置における受信ポート番号が記述された第２の制御メッセージを受信する第１の制御メッセージ受信手段とを有し、
前記テスト信号送信手段は、前記第２の制御メッセージを受信した後、前記第２の制御メッセージに記述された送信ポート番号の次の順のポート番号で、前記テスト信号を送信することを特徴とする光伝送システム。
（付記１４）  前記第２の光伝送装置は、第２の光スイッチの出力側に設けた前記テスト信号を受信して受信状態をモニタするテスト信号受信手段と、前記第２の制御メッセージを送信する第２の制御メッセージ送信手段と、前記第１の制御メッセージを受信する第２の制御メッセージ受信手段とを有することを特徴とする付記１３記載の光伝送システム。
（付記１５）  前記第１の制御メッセージ送信手段は、同時に複数の制御メッセージを送信することを特徴とする付記１又は２記載の光伝送システム。
（付記１６）  第１の制御メッセージを受信した時点からカウントアップし、所定の時間後に満了となる制御メッセージ受信待ちタイマを有し、
前記制御メッセージ受信待ちタイマが、制御メッセージ受信待ちタイマの満了を検出したとき、前記第２の光伝送装置の前記受信ポート制御手段は、異なる受信ポートから受信するように、前記第２の光スイッチを制御することを特徴とする付記２又は３記載の光伝送システム。
（付記１７）  前記第２の光伝送装置は、第２の光スイッチの出力側に設けた前記光信号を受信する光信号受信手段と、前記光信号を順に異なる受信ポートから受信するように、前記第２の光スイッチのスイッチングを制御する受信ポート制御手段と、第１の制御メッセージを受信した時点からカウントアップし、所定の時間後に満了となる制御メッセージ受信待ちタイマとを有し、
前記制御メッセージ受信待ちタイマが、制御メッセージ受信待ちタイマの満了を検出したとき、前記第２の光伝送装置の前記受信ポート制御手段は、異なる受信ポートから受信するように、前記受信ポート制御手段を制御することを特徴とする請求７項記載の光伝送システム。
（付記１８）  前記第１の光伝送装置は、更に、前記送信ポート番号及びそのポート番号からの第１の制御メッセージを受信した前記第２の光伝送装置における受信ポート番号が記述された第２の制御メッセージを受信する第２の制御メッセージ受信手段と、第２の制御メッセージを受信した時点からカウントアップし、所定の時間後に満了となる制御メッセージ受信待ちタイマとを有し、
前記制御メッセージ受信待ちタイマが、制御メッセージ受信待ちタイマの満了を検出したとき、前記第１の光伝送装置の前記第１の制御メッセージ送信手段は、次の順のポート番号から次の順のポート番号が記述された第１の制御メッセージが送信されるように前記受信ポート制御手段を制御することを特徴とする付記１又は２記載の光伝送システム。
（付記１９）  それぞれ光スイッチを有する第１及び第２の光伝送装置間におけるデータリンクの接続関係を個々の光伝送装置に設定する光伝送システムにおいて、
前記第１の光伝送装置は、第１の光スイッチの入力側に設けた光信号を送信する光信号送信手段と、前記第１の光スイッチのスイッチングを制御する送信ポート制御手段と、前記光信号を送信する送信ポート番号が記述された第１の制御メッセージを送信する第１の制御メッセージ送信手段と、前記送信ポート番号及びそのポート番号からの光信号を受信した前記第２の光伝送装置における受信ポート番号が記述された第２の制御メッセージを受信する第１の制御メッセージ受信手段と、第２の制御メッセージを受信した時点からカウントアップし、所定の時間後に満了となる制御メッセージ受信待ちタイマとを有し、
前記制御メッセージ受信待ちタイマが、制御メッセージ受信待ちタイマの満了を検出したとき、前記送信ポート制御手段は、次の順のポート番号から前記光信号が送信されるように、前記受信ポート制御手段を制御することを特徴とする光伝送システム。
（付記２０）  前記第１の光伝送装置又は第２の光伝送装置における前記第１の光伝送装置及び第２の光伝送装置間におけるデータリンクの接続関係を記述したリンクサマリメッセージを、前記第１の光伝送装置及び第２の光伝送装置間で交換し、前記第１の光伝送装置及び第２の光伝送装置間でデータリンクの接続関係が不一致であったポート又は未認識であるポートを対象として、対向する二つの光伝送装置間のポート番号の検索と設定を行うことを特徴とするを付記１ないし１９いずれか一項記載の光伝送システム。
（付記２１）  前記第１の光伝送装置及び第２の光伝送装置間の伝送において誤りが発生したとき、誤りの発生した伝送に関係するポートを対象として、対向する二つの光伝送装置間のポート番号の検索と設定を行うことを特徴とするを付記１ないし１９いずれか一項記載の光伝送システム。
（付記２２）  対向する光伝送装置との間におけるデータリンクの接続関係を設定する光スイッチを有する光伝送装置において、
前記光スイッチの入力側に設けた第１の制御メッセージを送信する制御メッセージ送信手段と、前記光スイッチのスイッチングを制御する送信ポート制御手段とを有し、
前記制御メッセージ送信手段は、前記第１の制御メッセージを送信する送信ポート番号が記述された制御メッセージを送信し、
前記送信ポート制御手段は、前記第１の制御メッセージを順に異なる送信ポートから送信するように、前記第１の光スイッチを制御することを特徴とする光伝送装置。
（付記２３）  前記送信ポート制御手段は、前記第１の制御メッセージを、一定期間毎に、異なる送信ポートから送信するように、前記光スイッチを制御することを特徴とする付記２２の光伝送装置。
（付記２４）  更に、前記送信ポート番号及びそのポート番号からの第１の制御メッセージを受信した前記対向する光伝送装置における受信ポート番号が記述された第２の制御メッセージを受信する制御メッセージ受信手段を有し、
前記制御メッセージ送信手段は、前記第２の制御メッセージを受信した後、前記第２の制御メッセージに記述された送信ポート番号の次の順のポート番号から、次の順のポート番号が記述された第１の制御メッセージを送信することを特徴とする付記２２又は２３記載の光伝送装置。
（付記２５）  対向する光伝送装置との間におけるデータリンクの接続関係を設定する光スイッチを有する光伝送装置において、
前記イッチの出力側に設けた制御メッセージを受信する制御メッセージ受信手段と、前記光スイッチのスイッチングを制御する受信ポート制御手段とを有し、
前記受信ポート制御手段は、前記制御メッセージを順に異なる受信ポートから受信するように、前記光スイッチを制御することを特徴とする光伝送装置。
（付記２６）  前記第１の制御メッセージ受信手段は、制御メッセージを受信したとき、当該制御メッセージを受信した受信ポート番号の次の順位の受信ポート番号で、前記制御メッセージを受信するように、前記受信ポート制御手段を制御することを特徴とする付記２５記載の光伝送装置。
（付記２７）  前記受信ポート制御手段は、前記第１の制御メッセージを、一定期間毎に、異なる受信ポートから受信するように、前記第２の光スイッチを制御することを特徴とする付記２６記載の光伝送装置。
（付記２８）  対向する光伝送装置との間におけるデータリンクの接続関係を設定する光スイッチを有する光伝送装置において、
前記光スイッチの入力側に設けた光信号を送信する光信号送信手段と、前記光スイッチのスイッチングを制御する送信ポート制御手段と、前記光信号を送信する送信ポート番号が記述された制御メッセージを送信する制御メッセージ送信手段とを有し、
前記送信ポート制御手段は、前記光信号を、一定周期で、順に異なる送信ポートから送信するように、前記光スイッチを制御することを特徴とする光伝送装置。
（付記２９）  対向する光伝送装置との間におけるデータリンクの接続関係を設定する光スイッチを有する光伝送装置において、
光スイッチの入力側に設けた光信号を送信する光信号送信手段と、前記光スイッチのスイッチングを制御する送信ポート制御手段と、前記光信号を送信する送信ポート番号が記述された第１の制御メッセージを送信する制御メッセージ送信手段と、前記送信ポート番号及びそのポート番号からの光信号を受信した前記対向する光伝送装置における受信ポート番号が記述された第２の制御メッセージを受信する制御メッセージ受信手段とを有し、
前記送信ポート制御手段は、前記第２の制御メッセージを受信した後、前記第２の制御メッセージに記述された送信ポート番号の次の順のポート番号で、前記光信号を送信するように、前記受信ポート制御手段を制御することを特徴とする光伝送装置。
（付記３０）  対向する光伝送装置との間におけるデータリンクの接続関係を設定する光スイッチを有する光伝送装置において、
前記光スイッチの出力側に設けたテスト信号を送信するテスト信号送信手段と、前記テスト信号を送信する送信ポート番号が記述された制御メッセージを送信する制御メッセージ送信手段とを有し、
前記テスト信号送信手段は、前記テスト信号を、一定周期で、順に異なる送信ポートから送信することを特徴とする光伝送装置。
（付記３１）  対向する光伝送装置との間におけるデータリンクの接続関係を設定する光スイッチを有する光伝送装置において、
前記光スイッチの出力側に設けたテスト信号を送信するテスト信号送信手段と、前記テスト信号を送信する送信ポート番号が記述された第１の制御メッセージを送信する制御メッセージ送信手段と、前記送信ポート番号及びそのポート番号からのテスト信号を受信した前記対向する光伝送装置における受信ポート番号が記述された第２の制御メッセージを受信する制御メッセージ受信手段とを有し、
前記テスト信号送信手段は、前記第２の制御メッセージを受信した後、前記第２の制御メッセージに記述された送信ポート番号の次の順のポート番号で、前記テスト信号を送信することを特徴とする光伝送装置。
【０１５１】
【発明の効果】
上述の如く本発明によれば、簡単な回路構成で、対向する二つの光伝送装置間のポート番号の検索と設定が可能な光伝送システム及び光伝送装置を提供することができる。
【０１５２】
【図面の簡単な説明】
【図１】従来のシステム構成図を説明するための図である。
【図２】トランスポンダを説明するための図である。
【図３】従来技術の動作手順を説明するための図である。
【図４】ＬＭＰの処理を説明するための図である。
【図５】第１のシステム構成図を説明するための図である。
【図６】第２のシステム構成図を説明するための図である。
【図７】第３のシステム構成図を説明するための図である。
【図８】第４のシステム構成図を説明するための図である。
【図９】テストステータスメッセージの例を説明するための図である。
【図１０】テストメッセージの例を説明するための図である。
【図１１】ビギンベリファイメッセージの例を説明するための図である。
【図１２】第１の実施例を説明するための図である。
【図１３】第２の実施例を説明するための図である。
【図１４】第３の実施例を説明するための図である。
【図１５】第４の実施例を説明するための図である。
【図１６】第５の実施例を説明するための図である。
【符号の説明】
１、３、４９    光／電気変換器
２、４、３９    電気／光変換器
１０、３０、５０、７０、１３０    送信側の光伝送装置
１１、２１、３１、４１、５１、６１、７１、９１、１３１、１４１    制御ユニット
１２、２２、３２、４２、５２、６２、７２、９２、１３２、１４２    光スイッチモジュール
１３、２３、３３、４３、５３、６３、７３、９３、１３３、１４３、    テーブル管理部
１４、３４、５４、７４、１３４    テストステータス（Ｔｅｓｔ  Ｓｔａｔｕｓ）メッセージ受信部
１５、３５、１３５    テスト（Ｔｅｓｔ）メッセージ送信部
１６、２６、３６、４６、５６、６６、７６、９６、１３６、１４６    ポート番号対応テーブル
１７、１８、１９、２７、２８、２９、７８、７９、８０、９８、９９、１００    トランスポンダ
２０、４０、６０、９０、１４０    受信側の光伝送装置
２４、４４、６４、９４、１４４    テストステータス（Ｔｅｓｔ  Ｓｔａｔｕｓ）メッセージ送信部
２５、４５、１４５    テスト（Ｔｅｓｔ）メッセージ受信部
３８、５８    送信ポート制御部
４８、６８    受信ポート制御部
５５、７５、１３７    ビギンベリファイ送信部
５７、７７    光信号制御部
５９    レーザ
６５、９５、１４７    ビギンベリファイ受信部
６７、９７    光信号モニタ
６９    受光器
【図１】
2004297522.tif 000003
【図２】
2004297522.tif 000004
【図３】
2004297522.tif 000005
【図４】
2004297522.tif 000006
【図５】
2004297522.tif 000007
【図６】
2004297522.tif 000008
【図７】
2004297522.tif 000009
【図８】
2004297522.tif 000010
【図９】
2004297522.tif 000011
【図１０】
2004297522.tif 000012
【図１１】
2004297522.tif 000013
【図１２】
2004297522.tif 000014
【図１３】
2004297522.tif 000015
【図１４】
2004297522.tif 000016
【図１５】
2004297522.tif 000017
【図１６】
2004297522.tif 000018